(57)【要約】【課題】  開口率を犠牲にすることなく、電極間にスペーサを配置することができ、しかも、スペーサをムラなく基板上に配置し、セル厚を基板全体で均一にすることを可能として、コントラストが高く、表示均一性の高い液晶表示装置の製造方法、微粒子散布装置及び液晶表示装置を提供する。【解決手段】  帯電した微粒子を複数の電極を有する基板上に選択的に配置させる微粒子散布装置であって、帯電した微粒子を基板上に散布するためのノズルと、帯電した微粒子が散布される基板を設置して保持する位置が固定された導電性ステージと、基板を導電性ステージから着脱するための複数個の押上げピンと、導電性ステージに設置された基板上の複数の電極に、帯電した微粒子と同極性の電圧を印加するプローブと、導電性ステージとは電気的に絶縁された状態の導電体とからなり、該導電体は、導電性ステージに設置された基板の上面に配置され、帯電した微粒子と同極性の電圧が印加され、基板寸法以下に開口部が形成された導電枠である微粒子散布装置。【選択図】    なし【特許請求の範囲】
【請求項１】
帯電した微粒子を複数の電極を有する基板上に選択的に配置させる微粒子散布装置であって、
帯電した微粒子を基板上に散布するためのノズルと、
帯電した微粒子が散布される基板を設置して保持する位置が固定された導電性ステージと、
基板を導電性ステージから着脱するための複数個の押上げピンと、
導電性ステージに設置された基板上の複数の電極に、帯電した微粒子と同極性の電圧を印加するプローブと、
導電性ステージとは電気的に絶縁された状態の導電体とからなり、
該導電体は、導電性ステージに設置された基板の上面に配置され、帯電した微粒子と同極性の電圧が印加され、基板寸法以下に開口部が形成された導電枠である
ことを特徴とする微粒子散布装置。
【請求項２】
プローブと導電体とが連動して上下動する
ことを特徴とする請求の範囲１記載の微粒子散布装置。
【請求項３】
プローブと導電体とが一体となって上下動する
ことを特徴とする請求の範囲１記載の微粒子散布装置。
【請求項４】
プローブ、導電体及び押上げピンは、単一の駆動源によって連動して駆動される
ことを特徴とする請求の範囲１、２又は３記載の微粒子散布装置。
【請求項５】
複数の電極及び導電体に同一電圧を同時に印加する
ことを特徴とする請求の範囲１、２、３又は４記載の微粒子散布装置。
【請求項６】
請求の範囲１、２、３、４又は５記載の微粒子散布装置を用いて製造されてなる
ことを特徴とする液晶表示装置。
【発明の詳細な説明】
【技術分野】
【０００１】
本発明は、微粒子散布方法、液晶表示装置の製造方法、微粒子散布装置及び液晶表示装置に関する。
【背景技術】
【０００２】
電子技術の発達に伴い、微粒子は、種々の分野において広く活用されている。このような微粒子としては、例えば、液晶表示装置のスペーサ等に応用されている微粒子等が挙げられる。
【０００３】
このような微粒子の活用分野の一つとして、例えば、液晶表示装置は、パソコン、携帯型電子機器等に広く用いられている。液晶表示装置は、一般に、図７５に示すように、カラーフィルタ４、ブラックマトリックス５、透明電極３、配向膜９等が形成された一対の絶縁性基板１に液晶７を挟持させてなる。
【０００４】
ここで、この一対の絶縁性基板１の間隔、すなわち液晶層の層厚は、光透過率に影響を及ぼすために、液晶表示装置の表示領域の全域にわたって一定に保たれなければ良好な表示を行うことができない。このため、従来から一対の絶縁性基板間に、グラスファイバ又は真球状のプラスチックビーズ等のスペーサ８を配置して、液晶層の層厚を表示領域の全域にわたって一定に保つようにしている。
【０００５】
これらのスペーサは、例えば配向膜を形成した後に圧縮された気体とともにノズルから吹き出して散布（乾式散布）されるか、又は、揮発性の液体に混合させてこの液体を噴霧するようにして散布（湿式散布）されて、配向膜上に均一に分散される。この後、一対の絶縁性基板を貼合わせ、一対の絶縁性基板間にスペーサが狭持された状態で、ネマチック液晶等の液晶が一対の基板間に充填される。
【０００６】
しかしながら、表示領域の画素電極上にスペーサが配置されると、スペーサから光漏れが生じるために実質上の開口率を低下させることとなり、表示むら又はコントラストを低下させるといった問題が発生していた。
【０００７】
上述のような問題を解決するためには、非表示部である電極間隙、すなわち遮光膜であるブラックマトリックスの部分のみにスペーサを配置すればよい。ブラックマトリックスは液晶表示装置の表示コントラストの向上や、ＴＦＴ型液晶表示装置の場合は、素子が外光で誤作動しないように設けられているものである。
【０００８】
ＴＦＴ型液晶表示装置において、ブラックマトリックス部分、すなわち、液晶表示装置の表示画素以外の部分にスペーサを配置する技術として、特許文献１には、スペーサ散布時に、ゲート電極及びドレイン電極を同電位に保持する方法が開示されている。また、特許文献２には、配線電極に正の電圧を印加し、スペーサを負に帯電させて乾式で散布する方法が開示されている。これらの技術は、基板上に形成された電極に電圧を印加してスペーサの配置制御を行おうとするものである。
【０００９】
しかしながら、薄膜トランジスタ（ＴＦＴ）が形成された基板にスペーサの配置制御を行うための電圧を印加すると、その電圧で素子が破壊されてしまい、液晶表示装置としての機能を果たすことができないという問題があった。
【００１０】
また、ＳＴＮ型液晶表示装置において、ブラックマトリックスに相当する位置は、透明電極と透明電極との間隙になっているため、上述のような技術は使えないという問題があった。
【００１１】
一方、ＳＴＮ型液晶表示装置のように複数の線状透明電極を平行に並べて構成されたストライプ状透明電極を有する基板の電極間隙にスペーサを配置するための技術として、特許文献３及び特許文献４には、スペーサ散布時に、スペーサを正負いずれかに帯電させ、基板の線状透明電極に対してスペーサと同極性の電圧を印加する液晶表示装置の製造方法が開示されている。
【００１２】
特に、特許文献４では、散布装置において、負帯電したスペーサ粒子の落下速度を制御するために、電極基板の下にプラスの電圧を印加できるようにした導線が配置されている。更に、負帯電したスペーサ粒子が散布装置容器の壁に付着することを避けるため、容器を導体で形成しておき、マイナス電圧を印加できるようにしてあることが開示されている。
【００１３】
しかしながら、これらの方法では、スペーサの帯電量及び／又は電極へ印加する電圧値を小さく設定すると（電圧値：１０００Ｖ以下程度）、スペーサと電極との斥力（反発力）が弱く、スペーサを電極間に移動させる力が不充分となり、電極のない領域（電極間）へのスペーサの選択配置性が悪く、図７６に示すように、電極上にも多数のスペーサが配置されてしまうこととなる。
【００１４】
逆に、スペーサの帯電量及び／又は電極へ印加する電圧値を大きくしていくと（電圧値：数千Ｖ程度）、スペーサと電極との斥力は強くなり、図７７に示すように、電極のない領域（電極間）へのスペーサの選択配置性が向上する。
【００１５】
しかしながら、この場合にも、電極群上では斥力がより強く働くため、スペーサは電極群領域外に押し出される傾向が増し、その結果、電極群端部にはスペーサが全く配置されず、電極群端部のセル厚制御ができなくなる。このような現象は、斥力が弱い段階でも起こっているが、斥力が強くなるほどスペーサの非配置領域は増大していくという不具合が顕著に生じていた。
【００１６】
特許文献５では、上述した方法に比べてより選択性よくスペーサを配置する方法として、散布するスペーサを正負いずれかの極性に帯電させ、絶縁性基板上のスペーサを配置すべき領域に設けられた第１の電極にスペーサと逆極性の電圧を印加し、絶縁性基板上のスペーサを配置しない領域に設けられた第２の電極にスペーサと同極性の電圧を印加することで、スペーサと電極との間に斥力と引力とを生じさせ、スペーサをいずれか一方の電極に選択性よく配置する方法が開示されている。
【００１７】
しかしながら、この方法では、電極上にスペーサがあるためコントラストが低下してしまうという問題点が生じる。更に、この方法を単純マトリクス型の液晶表示装置に用いた場合、画素電極以外にスペーサ配置用の電極を形成しなければならないので、その分開口率が低下するという問題点があった。
【００１８】
【特許文献１】特開平４−２５６９２５号公報
【特許文献２】特開平５−６１０５２号公報
【特許文献３】特開平３−２９３３２８号公報
【特許文献４】特開平４−２０４４１７号公報
【特許文献５】特開平８−７６１３２号公報
【発明の開示】
【発明が解決しようとする課題】
【００１９】
本発明は、上記現状に鑑み、所望の電極に所定量の微粒子を配置することができる微粒子散布方法、特に、液晶表示装置に用いられているようなパターン状の透明電極から構成される基板に対しても、電極間にスペーサを選択的に散布することが可能である微粒子散布方法を提供し、開口率を犠牲にすることなく、電極間にスペーサを配置することができ、しかも、スペーサをムラなく基板上に配置し、セル厚を基板全体で均一にすることを可能として、コントラストが高く、表示均一性の高い液晶表示装置の製造方法、微粒子散布装置及び液晶表示装置をも提供することを目的とする。
【課題を解決するための手段】
【００２０】
第一の本発明は、基板上に形成された複数の電極に微粒子の帯電極性と同極性の電圧を印加し、微粒子に働く斥力を利用して微粒子を散布することよりなる微粒子散布方法であって、上記微粒子が上記複数の電極からなる電極領域より押し出されないようにする手段を有する微粒子散布方法である。
【００２１】
上記基板としては、例えば、その表面に複数の電極を有する、ガラス製基板、樹脂製基板、金属製基板等が挙げられ、基板状、フィルム状等の形状は特に限定されない。ただし、金属製基板を用いる場合は、表面に形成された電極がショートしないように、金属製基板上に絶縁層を設ける必要がある。
【００２２】
上記電極としては特に限定されず、例えば、透明電極、透明電極を線状にしたもの（線状透明電極）等が挙げられる。上記複数の電極が形成された基板としては、パターン状の透明電極から構成される基板等が挙げられる。上記パターン状の透明電極から構成される基板としては、線状透明電極が平行に並べられて構成されたストライプ状電極を形成させた基板等が挙げられる。上記ストライプ状電極は、液晶表示装置において、いわゆる表示電極として用いられているものである。また、上記複数の電極からなる電極領域は、複数の電極からなる電極群を形成している領域であり、複数の電極が表示電極として用いられている場合は、表示電極領域のことである。液晶表示装置においては、上記表示電極を形成している領域のうち、表示を行うための領域を表示領域という。
【００２３】
また、上記微粒子散布方法が液晶表示装置の製造方法として用いられる場合、上記基板としては、例えば、ブラックマトリックス、カラーフィルタ、オーバーコート層、パターン状の透明電極及び配向膜を有するカラーフィルタ基板や、ブラックマトリックス、オーバーコート層、パターン状の透明電極及び配向膜を有する基板等が挙げられ、スペーサが散布される基板は、カラーフィルタを有する基板であっても、この基板に対向する基板であってもよい。
【００２４】
従って、上記微粒子散布方法をＳＴＮ型液晶表示装置の製造方法に適用する場合には、パターン状の透明電極を最低限有する基板であれば、コモン電極（走査電極）基板又はセグメント電極（表示電極）基板のいずれに対しても適用することが可能である。
【００２５】
上記微粒子としては特に限定されず、例えば、金属微粒子；合成樹脂微粒子；無機微粒子；合成樹脂に顔料が分散された遮光性微粒子；染料により着色された微粒子；加熱・光等により接着性を発揮する微粒子；金属微粒子、合成樹脂微粒子、無機微粒子等の表面が金属によりメッキされた微粒子等が挙げられ、液晶表示装置においてはスペーサとして用いられているものである。上記スペーサは、液晶表示装置において、セル厚調整をするためのものである。
【００２６】
また、上記微粒子の散布方法は、乾式散布方法、湿式散布方法のいずれであってもよい。上記湿式散布方法では、水、アルコール等の混合溶媒中に微粒子を分散させて散布するが、この場合であっても微粒子は帯電するため、第一の本発明の効果を損なうことはない。しかしながら、乾式散布の方が帯電量が安定するため、乾式散布が好ましい。
【００２７】
上記乾式散布方法において、上記微粒子の帯電方法としては、微粒子が配管との接触を繰り返すことにより帯電する方法、微粒子に電圧を印加することにより帯電する方法等が挙げられる。これらの中でも、圧縮空気、圧縮窒素のような媒体で微粒子を配管内に通すことにより、微粒子は安定的に帯電する。この場合、微粒子の帯電及び基板上への水分の付着防止の観点から、媒体である気体は水分の極力少ない乾燥状態が好ましい。
【００２８】
上記配管の材質としては、金属製であっても樹脂製であってもよく、微粒子の帯電極性、帯電量との関連から適宜選定される。
上記金属製配管としては特に限定されず、例えば、ニッケル、銅、アルミニウム、チタン等の単一組成の配管；ステンレス等の合金からなる配管等が挙げられる。また、配管内壁に、金、クロム等の金属被膜をメッキ等により形成してなる配管等であってもよい。
【００２９】
上記樹脂製配管としては特に限定されず、例えば、テフロン、塩化ビニル、ナイロン等からなる配管等が挙げられるが、安定的な帯電を得るためには、これらの樹脂製配管を金属で被覆し、アースしておくことが必要である。これは、微粒子と配管との接触で電荷の出入りが行われるが、アースしていないと電荷が樹脂製配管に留まり、安定的な帯電を得ることができなくなってしまうからである。
また、微粒子の帯電量を調節するために、これら材質の異なる配管を直列に連結してもよい。
【００３０】
微粒子の散布時に、単に、帯電した微粒子と基板上の電圧が印加された複数の電極との極性を同極性とするときには、例えば、微粒子の帯電極性を正極性（＋）とし、複数の電極に印加された電圧の極性も正極性（＋）とした場合、基板上に散布される微粒子の全体数は、複数の電極に電圧を印加しない場合よりも少なくなり、安定したものとなる。
【００３１】
しかしながら、複数の電極の存在しない基板端部では、斥力が働かないことになるので、基板外周付近の微粒子が、基板外に飛ばされてしまうことになる。従って、複数の電極からなる領域外周部分には充分な数の微粒子が存在しないこととなり、これを液晶表示装置の製造方法に適用し、微粒子としてスペーサを用いた場合、液晶表示装置のセル厚が小さくなってしまい、表示ムラが発生するおそれがあった。
【００３２】
この場合、液晶表示装置を製造するときに、液晶表示装置に一定荷重を与える工程を経るが、そのときに基板の一部分でスペーサの数に不均一が生じると、スペーサ１個当たりに掛かる荷重が変わるため、スペーサの歪みが変化し、セル厚が変化して、液晶表示装置の表示が不均一となる。
【００３３】
これら上記複数の電極からなる領域外周付近の微粒子数の増減の原因は、液晶表示装置の製造方法に適用した場合について説明すれば、図１に示すように、スペーサの帯電極性と同極性の電圧をパターン状の透明電極に印加して、スペーサを透明電極間隙に配置させようとする場合、落下中のスペーサを表示領域内から表示領域外に反発させようとする力（斥力）が働き、特に、表示領域の外周付近においては、透明電極からなる領域の外側の基板上に斥力が存在しないために、表示領域外周部に配置されるべき微粒子が外側に逃げてしまうか、又は、表示領域の外側の領域が広い場合には、表示領域の外側の領域に集中的に微粒子が散布されることにある。
【００３４】
そこで、第一の本発明の微粒子散布方法は、基板上に形成された複数の電極に微粒子の帯電極性と同極性の電圧を印加し、微粒子に働く斥力を利用して微粒子を散布することよりなる微粒子散布方法であって、微粒子が上記複数の電極からなる電極領域より押し出されないようにする手段を有することを特徴とするものである。
【００３５】
特に、電極間隙への選択配置性を向上させるために、微粒子の帯電量及び／又は複数の電極へ印加する電圧値を大きくした場合も、微粒子が複数の電極からなる電極領域より押し出されないような作用が働くため、複数の電極からなる電極領域の端部にある電極間にも微粒子が散布配置される。
【００３６】
上記微粒子散布方法は、上記複数の電極からなる電極領域外にダミー電極を設け、該ダミー電極に微粒子と同極性の電圧を印加することにより、複数の電極からなる電極領域の外周部の電場を制御するのが好ましい。
【００３７】
従って、ダミー電極に微粒子と同極性の電圧を印加し、電圧を調節することにより電場を制御し、微粒子に斥力を働かせ複数の電極からなる電極領域外に押し出されようとする微粒子を押し戻すことが可能になり、複数の電極からなる電極領域の端部にある電極間にも微粒子が散布配置されるようになる。
【００３８】
また、上記ダミー電極に与える電圧の調整次第では、微粒子の配置密度を制御することも可能である。つまり、ダミー電極にも電圧を印加することにより、複数の電極からなる電極領域端部のマクロ的な電場の偏りを補正することが可能になる。
【００３９】
更に、ダミー電極に与える電圧を調節することにより、意識的に複数の電極からなる電極領域端部に配置する微粒子量を制御することが可能となり、第一の本発明を液晶表示装置に応用することにより、複数の電極からなる電極領域端部（シール部分の近傍）のセル厚調整が可能となる。
【００４０】
上記ダミー電極としては、複数の電極からなる電極領域（電極群）外に配置形成された導電性のものがその範囲に含まれ、例えば、以下に述べるものを挙げることができるが、これらに限定する必要もなく、適宜用いられるダミー電極を有効に利用することができる。
【００４１】
特開昭６３−２６６４２７号公報には、表示電極形成部と同じ状態にして、基板間のギャップ不良による色ムラをなくして背景色と同色の表示部品質の向上を図ることを目的として設けられた表示用電圧を印加しないダミー電極が開示されている。
【００４２】
ダミー電極は、上基板にＩＴＯ等の透明導電材料からなるストライプ状の表示電極、及び、上基板の外周部にシール部を形成して、表示電極とシール部との間に設けられ、ダミー電極によって、表示部とシール部との間は、表示部と同一状態となる。
【００４３】
また、ダミー電極は、表示電極と同時に形成すれば、同一材料を用い、同一膜厚とすることが可能であるが、表示用電圧（信号電圧）は印加されない。下基板は、上基板と同様に表示電極とシール部との間にダミー電極が形成されている。
【００４４】
特開平２−３０１７２４号公報には、液晶厚の均一な液晶パネルの製造を可能にすることを目的として設けられた透明電極（ダミー電極）が開示されている。
上基板と下基板とに設けられたダミー電極のうち、上基板に設けられたダミー電極は、非表示領域のうち左辺及び下辺では下基板のダミー電極と対向し、上辺では表示領域を形成する透明電極と対向する。また、非表示領域のうち右辺では、下基板のダミー電極と、上基板の透明電極とが対向する。
【００４５】
従って、非表示領域のすべての領域で透明電極が対向している。これにより、すべての領域が、ギャップ材の径で決定される液晶層の厚みをもつ均一な液晶パネルを得ることができる。
【００４６】
特開平３−２６０６２４号公報には、ラビング処理工程後、ダミー電極を切断することにより、ラビング処理中に静電気の発生するのを防止することを目的として、セグメント電極を囲む位置に、セグメント電極との間隔が１〜５μｍの範囲で設けられたダミー電極が開示されている。
【００４７】
ダミー電極は、一対の基板上に透明電極層からなるセグメント電極とコモン電極とを設け、更に各電極層上に配向膜層を設けた基板間に液晶を狭持させたドットマトリクス型液晶装置において、静電気による配向膜層の破壊を防止して表示品質の高い液晶装置を得ようとするものである。
【００４８】
即ち、基板上のセグメント電極を囲む位置にダミー電極を設け、セグメント電極とダミー電極との間隔が１〜５μｍの範囲となるようにすることにより、ラビング工程中、セグメント電極間の静電気の発生はなくなり、ラビング処理後、ダミー電極を切断することによって表示ムラのない液晶表示装置を得ることができる。
【００４９】
特開平６−５１３３２号公報には、マトリクス型液晶装置において、画素部以外の外側部分である引き出し電極部分での色ムラをなくすことを目的として設けられたダミー電極が開示されている。
ダミー電極は、画素部の外側を、画素部での液晶層の厚みと同じ厚みとするために設けられる。
【００５０】
また、上記ダミー電極は、一般的に、ＳＴＮ型液晶表示装置の製造工程における静電気を原因とするスパークによる配向膜の損傷を防止するために、基板の表示領域の外側に形成されるものであってもよい。例えば、一枚の基板からストライプ状透明電極を有する表示用の基板を二枚作製する場合には、図２及び図３に示すように、表示領域の周囲に設けられる。図２は、ダミー電極に導通がある場合であり、図３は、ダミー電極に導通がない場合である。
【００５１】
上記微粒子散布方法は、上記複数の電極に印加する電圧が５００〜８０００Ｖであるのが好ましい。
印加する電圧が制御されることにより、上記微粒子と上記電極間に働く斥力は強くなり、上記電極間への選択配置性が向上し、かつ、上記複数の電極からなる電極領域外へ微粒子が押し出されず上記複数の電極からなる電極領域端部にも配置性良く上記微粒子が散布される。
【００５２】
第一の本発明の微粒子散布方法は、基板上であって、複数の電極からなる電極領域の少なくとも外周部の一部に、複数の電極とは異なる電極に微粒子と同極性の電圧を印加するのが好ましい。
【００５３】
ここで、複数の電極とは異なる電極であるダミー電極は、複数の電極が形成された基板上に形成され、微粒子散布装置への上記基板のセッティング位置によらず、常に、基板上の上記複数の電極がつくる電場の偏りが解消されるように作用する。また、基板上に複数の電極及びダミー電極を形成するので、基板の大きさや電極に印加する電圧の違いにより微粒子散布装置の設定を変更する必要がなくなり、工業的に有利である。
【００５４】
第一の本発明の微粒子散布方法においては、複数の電極とは異なる電極が、複数の電極に電圧を印加するための補助電極以外の外周部に設けられるのが好ましい。
【００５５】
例えば、複数の電極がストライプ状の電極の場合、ストライプ状の電極の一端又は両端には上記電極に電圧を印加するための補助電極（ベタ電極）が設けられており、上記補助電極（ベタ電極）により電場の偏りが補正される。従って、特に補助電極の形成されていない部位に、微粒子が複数の電極からなる電極領域より押し出されないようにする手段を設けることが好ましい。
【００５６】
第一の本発明の微粒子散布方法においては、複数の電極とは異なる電極の面積が、複数の電極のそれぞれの電極の面積よりも大きいのが好ましい。
即ち、電極の面積を大きくすることで微粒子に作用する斥力は大きくなり、ダミー電極の面積を複数の電極のそれぞれの面積より大きくすることで、微粒子を複数の電極からなる電極領域に押し戻す大きな作用が働き、より効果的に、複数の電極からなる電極領域端部にある電極間にも微粒子が散布配置される。
【００５７】
第一の本発明の微粒子散布方法においては、複数の電極及び複数の電極とは異なる電極に印加する電圧を同一電圧にするのが好ましい。
例えば、複数の電極とダミー電極とを形成時において電気的に短絡するようパターニングすれば、新たにダミー電極に電圧を印加するための電線等を設ける必要がなく、かつ、新たにダミー電極に電圧を印加する手段を別に用意する必要がないので工業的に有利である。
【００５８】
第一の本発明の微粒子散布方法においては、複数の電極とは異なる電極が、基板外周部に設けられたベタ電極であるのが好ましい。
即ち、段差を解消するために設けられた基板外周部のベタ電極（メッシユ状電極）に電圧を印加することにより、工程数を増やすことなく、従来の設計基準を用いて、第一の本発明の効果が実現可能となる。
なお、この場合において、複数の電極からなる電極領域外に電圧を印加する電極としては、ベタ電極、メッシュ状電極、ブロック状電極等いかなる電極を用いてもよい。
【００５９】
第一の本発明の具体的な実施形態について、図４〜８を用いて説明する。
図４は、第一の本発明の実施形態で用いるスペーサ散布装置を示す概略図である。密閉又はそれに近い状態のクリーンな容器１０の上端部に、帯電させたスペーサ８を吹き付け散布するノズル１１ａが設けられている。ノズル１１ａには、スペーサ８と窒素ガスとを供給する供給器（図示せず）が配管１７を介して接続されている。容器１０の下方には、表示電極３が形成されているガラス等からなる絶縁性基板１が配置され、表示電極３に電圧を印加して電場を形成するための導線１８が設けられている。尚、表示電極３に電圧を印加して電場を形成しなくても、スペーサ散布装置内に設けられたステージ（電極）１５によって電場を形成するようにしてもよい。
【００６０】
通常、液晶表示装置の製造においては、スペーサ８の散布は、適量のスペーサ８を上述した帯電方法により帯電させ、この場合スペーサ８を負に帯電させて、圧縮空気、圧縮窒素等により飛散させ、基板上に散布することにより行われる。
【００６１】
図５及び図６は、第一の本発明に係わる電極パターンを示す概略図である。図５に示すように、絶縁性基板１上に、ストライプ状の表示電極３と、表示領域外に設けられ、電圧が印加されるダミー電極２１とが形成されており、それぞれに電圧を印加する手段（図示しない）が設けられている。上記電圧を印加する手段としては、表示電極３に電圧を印加するための補助電極を形成してもよいし、又は、それぞれの電極にプローブピン等を用いて表示電極３に直接電圧を印加してもかまわない。
【００６２】
そして、図６に示すように、複数の電極からなる電極領域（表示電極領域）では、全体的（マクロ的）に負に帯電しているため、スペーサに対しては斥力（実線）が働き、スペーサは電場を形成していない表示電極領域外に移動する（逃げる）傾向がある。しかしながら、ダミー電極２１にも負電圧を印加することにより、逃げやすい表示電極端部のスペーサを確実に表示電極間に配置させることができる。
図６中の実線は、スペーサにかかる斥力の大きさを模式的に示したもので、スペーサに働く斥力の大きさを「上に凸」の半円形状で示してある。図６は、帯電したスペーサが斥力の谷間に移動して配置される様子を示している。
【００６３】
図７及び図８は、電極基板上に形成されるマクロ的な電場によるスペーサの移動を説明するための概念図である。表示電極部では全体的（マクロ的）に負に帯電しているため、図８においては、スペーサに対して斥力が働き、スペーサは電場を形成していない表示電極部外へと押し出されようとする。ここで、図７に示すように、ダミー電極２１に負電圧を印加することにより、スペーサを押し戻し、表示電極端部の所定の表示電極間にもスペーサを配置させ、表示電極端部と表示電極中央部のスペーサ密度を所定密度に保つことが可能となる。
【００６４】
上記実施形態では、表示電極が形成された基板上にダミー電極２１を設けることにより、電場を制御する方法について述べたが、他に表示電極が形成された基板を固定するためのステージやスペーサ散布装置壁面等に電圧を印加して同様の効果を得る方法もある。しかしながら、絶縁性基板をセットする基台や微粒子散布装置の壁面に電場を制御するダミー電極を設置した場合、絶縁性基板上のセット位置を上記絶縁性基板以外に設けられたダミー電極から均等な位置に配置する必要があり、工業的に不向きである。
【００６５】
また、微粒子散布装置の壁面にダミー電極を設けた場合、絶縁性基板より液晶表示装置を２面切り出す２面取り基板では、上記２面が隣り合った辺ではその作用が働かない。
更に、絶縁性基板外にダミー電極を設ける場合は、表示電極領域との距離が増し、従来、電極に印加する電圧よりも遙に高い電圧をダミー電極に印加する必要があるため工業的ではない。
【００６６】
一方、第一の本発明によれば、ダミー電極に印加する電圧を調節することで、表示領域外周部へ配置されるスペーサ密度の制御も可能となり、スペーサ配置密度による基板セル厚の微調整も可能となる。
【００６７】
また、上記実施形態では、単純マトリクス型液晶表示装置を用いているが、第一の本発明は単純マトリクス型液晶表示装置に限定されるものではなく、強誘電性液晶表示装置又はＴＦＴ型液晶表示装置等の液晶表示装置でも当然利用できるものである。
【００６８】
第一の本発明の微粒子散布方法を応用して液晶表示装置を製造する場合においては、表示領域外の電極（ダミー電極）に、スペーサ（微粒子）に対して斥力が働く電圧を印加することにより、表示電極領域端部上のマクロ的な電位の傾き（斥力の大きさの勾配）により、表示電極領域外へと移動しようとするスペーサを押し戻すように電場が形成でき、表示電極領域端部の配置されにくい電極間にもスペーサは確率良く配置され、より高品位な液晶表示装置を提供することが可能になる。また、表示領域外周部へ配置されるスペーサ密度の制御も可能で、更により表示品位の高い液晶表示装置が提供できる。
【００６９】
第二の本発明は、少なくともパターン状の透明電極から構成され、表示領域を有する第一の基板及び第一の基板の上に対向配置される第二の基板のうち少なくとも一方の基板にスペーサを散布し、両基板の間隙に液晶を注入してなる液晶表示装置の製造方法であって、上記表示領域外に付設電極を設け、正極性又は負極性に帯電した上記スペーサを上記基板上に散布するに際し、上記透明電極毎に２値又はそれ以上の異なる電圧を印加し、かつ、上記付設電極にも電圧を印加して、透明電極及び付設電極上の上方に発生する電場を制御することにより、隣接する透明電極間のうち所定の透明電極間にのみスペーサを選択的に配置する液晶表示装置の製造方法である。
上記パターン状の透明電極、基板、スペーサ及びスペーサの帯電方法としては、第一の本発明において説明したのと同様である。
【００７０】
第二の本発明の液晶表示装置の製造方法をＴＦＴ型液晶表示装置の製造方法に適用する場合、コモン電極基板であるカラーフィルタ側基板のブラックマトリックス部分の直下に、エッチング等を行い上記透明電極の存在しない領域を形成し、第二の本発明の液晶表示装置の製造方法によりスペーサを基板に配置させればよい。通常のＴＦＴ型液晶表示装置はコモン電極基板がベタ電極であるが、透明電極をエッチングした電極であっても、各電極に同電圧を印加することにより、通常のＴＦＴ型液晶表示装置と同様に駆動させることができる。
【００７１】
第二の本発明は、表示領域外に付設電極を設け、スペーサを帯電させて散布して、透明電極毎に２値又はそれ以上の異なる電圧を印加するとともに、付設電極にも電圧を印加して、透明電極及び付設電極上の上方に発生する電場を制御することにより、帯電したスペーサに作用する斥力若しくは引力、又は、スペーサに作用する斥力及び引力を制御し、隣接する透明電極間のうち、所定の透明電極間に斥力の合成力の谷間、引力の合成力の山、又は、斥力と引力とで形成される合成力における引力の山を作り、この所定の透明電極間にのみスペーサを選択的に配置する。
また、電極に印加される電圧の種類は特に限定されず、例えば、直流電圧、パルス電圧等が好適に用いられる。
【００７２】
ここで、２値又はそれ以上の異なる電圧の透明電極への印加方法は、透明電極毎に印加された２値又はそれ以上の異なる電圧に基づいて形成された電場が、スペーサに対して、最も強く引力が作用する位置及び／又は最も弱く斥力が作用する位置と、透明電極の間の間隙の位置とを一致せしめた一定の印加パターンに基づいている。
【００７３】
上記最も強く引力が作用する位置とは、隣接する透明電極間のうち所定の透明電極間に作られた引力の合成力の山、又は、斥力と引力とで形成される合成力における引力の山のうち、最も強く引力が作用する位置を示し、上記最も弱く斥力が作用する位置とは、隣接する透明電極間のうち所定の透明電極間に作られた斥力の合成力の谷間、又は、斥力と引力とで形成される合成力における斥力の谷間のうち、最も弱く斥力が作用する位置を示す。
【００７４】
ここで、スペーサの散布時に、単に、スペーサの帯電極性と同極性の電圧をパターン状の透明電極に印加して、スペーサを透明電極間隙に配置させようとする場合、第一の本発明において詳述したのと同様に、透明電極の存在しない基板端部では、図１に示すように、落下中のスペーサを表示領域内から表示領域外に反発させようとする力（斥力）が働き、特に、表示領域の外周付近においては、表示領域の外側の基板上に斥力が存在しないために、表示領域外周部に配置されるべきスペーサが外側に逃げてしまうか、又は、表示領域の外側の領域が広い場合には、表示領域の外側の領域に集中的にスペーサが散布されてしまい、表示領域外周部分には充分な数のスペーサが存在しないこととなり、液晶表示装置のセル厚が小さくなって、表示ムラが発生するおそれがあり、液晶表示装置の表示が不均一となる。
【００７５】
一方、透明電極上に引力が作用する電場を利用する場合には、図１０に示すように、基板の最外周では電場の広がりがあるために電極の存在しない部分にも電場が広がる現象が起こる。そのため、スペーサの帯電極性と逆極性の電圧を透明電極に印加した場合、引力が働き、散布により落下中のスペーサを表示領域外から内に引き込む力が働き、最外周部分において表示領域よりもスペーサの数が多くなる現象が生じる。
【００７６】
上記図１及び図１０によって説明される二つの現象を防止するため、第二の本発明においては、表示領域外に設けた付設電極に電圧を印加しているため、表示領域外からスペーサに斥力又は引力を作用させることができ、スペーサが表示領域外に移動すること、又は、スペーサが表示領域外から移動してくることを抑制することができる。
このことにより、所定の透明電極間にのみスペーサを選択的に配置でき、表示領域の端部近傍においても表示領域の中央部と同様にスペーサの配置密度を制御することができるので、液晶表示装置において、表示領域内のスペーサの配置密度を均一にし、開口率を犠牲にすることなく、スペーサからの光漏れを防止してコントラストを向上させることができる。
【００７７】
更に、スペーサを選択的に配置する所定の透明電極間が、隣接する透明電極同士に同電圧を印加する透明電極間であることによって、透明電極毎に２値又はそれ以上の異なる電圧を印加することにより、帯電したスペーサに作用する斥力の合成力の谷間、引力の合成力の山、又は、斥力と引力とで形成される合成力における引力の山に移動したスペーサに対して、所定の隣接する２つの透明電極から作用するスペーサへの斥力又は引力が均等となる。
【００７８】
即ち、帯電したスペーサに斥力が作用する場合は、スペーサが所定の隣接する２つの透明電極から与えられる均等の斥力によって押される形で、引力が作用する場合は、スペーサが所定の隣接する２つの透明電極から与えられる均等の引力に引き付けられる形で、それぞれ確率よく所定の透明電極間にのみスペーサを選択的に配置することができる。
【００７９】
更に、スペーサを選択的に配置する所定の透明電極間は、スペーサを正極性に帯電させている場合には、透明電極に印加する２値又はそれ以上の異なる電圧のうち、最も低い電圧を印加する透明電極間であり、スペーサを負極性に帯電させている場合には、透明電極に印加する２値又はそれ以上の異なる電圧のうち、最も高い電圧を印加する透明電極間であることにより、所定の透明電極間に斥力の合成力の谷間、引力の合成力の山、又は、斥力と引力とで形成される合成力における引力の山を作ることができる。
【００８０】
つまり、正極性に帯電したスペーサは、所定の隣接する透明電極に印加する最も低い電圧が正極性の場合には、斥力が最も弱く作用し、所定の隣接する透明電極に印加する最も低い電圧が負極性の場合には、引力が最も強く作用するため、最も低い電圧を印加する透明電極間に移動する。
【００８１】
また、負極性に帯電したスペーサは、所定の隣接する透明電極に印加する最も高い電圧が正極性の場合には、引力が最も強く作用し、所定の隣接する透明電極に印加する最も高い電圧が負極性の場合には、斥力が最も弱く作用するため、最も高い電圧を印加する透明電極間に移動する。
従って、更に確率よく所定の透明電極間にのみスペーサを選択的に配置することができる。
【００８２】
更に、スペーサを正極性に帯電させている場合には、最も低い電圧は負極性であり、スペーサを負極性に帯電させている場合には、最も高い電圧は正極性であれば、所定の透明電極間を構成する電極とスペーサとの間に発生する引力の作用によって、所定の透明電極間に作られる引力の合成力の山、又は、斥力と引力とで形成される合成力における引力の山にスペーサが移動し、更にスペーサが所定の隣接する２つの透明電極から与えられる均等な引力の作用によって引き付けられる。
従って、更に確率よく所定の透明電極間にのみスペーサを選択的に配置することができる。
【００８３】
更に、透明電極に印加する最も低い電圧又は最も高い電圧以外の電圧がスペーサと同極性であれば、所定の透明電極間を構成する電極とスペーサとの間に発生する引力の作用と、その他の電極とスペーサとの間に発生する斥力の作用とによって、スペーサがその他の電極との間に発生する斥力によって押されるとともに、所定の隣接する透明電極との間に発生する引力によって引き付けられて、所定の透明電極間に作られる斥力と引力とで形成される合成力における引力の山に移動し、更にスペーサが所定の隣接する２つの透明電極から与えられる均等な引力の作用によって引き付けられる。
従って、更に確率よく所定の透明電極間にのみスペーサを選択的に配置することができる。
【００８４】
また、スペーサに帯電させる電圧の極性と透明電極に印加する２値又はそれ以上の異なる電圧の極性とが、同極性であることにより、その他の電極とスペーサとの間に発生する強い斥力と、所定の隣接する透明電極とスペーサとの間に発生する弱い斥力との作用によって、スペーサがその他の電極との間に発生する強い斥力によって押され、所定の透明電極間に作られる斥力の合成力の谷間に移動し、更にスペーサが斥力によって所定の透明電極間に押されるので、さらに確率よく所定の透明電極間にのみスペーサを選択的に配置することができる。
【００８５】
特に、この構成によれば、斥力によって押される形で所定の透明電極間にスペーサが配置されるため、スペーサを所定の透明電極間の中央部に集中的に配置することができる。
従って、所定の隣接する透明電極のエッジ部にスペーサが配置されてしまう確率を小さくすることができる。
【００８６】
また、表示領域全体としての電場によってスペーサに斥力が作用する場合には、付設電極に印加する電圧の極性をスペーサに斥力が作用する極性とし、表示領域全体としての電場によってスペーサに引力が作用する場合には、付設電極に印加する電圧の極性をスペーサに引力が作用する極性とすることにより、表示領域全体としてスペーサに斥力が作用していても、表示領域の端部近傍のスペーサに表示領域外から斥力を作用させて、スペーサが表示領域外に移動することを抑制することができ、表示領域全体としてスペーサに引力が作用していても、表示領域外のスペーサに表示領域外から引力を作用させて、スペーサが表示領域外から移動してくることを抑制することができる。
従って、表示領域の端部近傍でもスペーサの配置密度を均一にすることができる。
【００８７】
更に、付設電極に印加する電圧は、透明電極に印加する２値又はそれ以上の異なる電圧のうち、スペーサに最も大きい斥力又は引力が作用する電圧と同一電圧であることにより、スペーサが表示領域外に移動すること、又は、スペーサが表示領域外から移動してくることを抑制するための充分な斥力又は引力をスペーサに作用させることができる。
従って、表示領域の端部近傍でもスペーサの配置密度を均一にすることができる。
【００８８】
また、上記透明電極はストライプ状であり、付設電極は、透明電極の長辺に並設されることにより、表示領域を形成する４辺のうち、スペーサが表示領域外に移動すること、又は、スペーサが表示領域外から移動してくることが起こりやすいストライプ状の透明電極の長辺側において、効果的にスペーサの移動を抑制することができる。
従って、表示領域の端部近傍でもスペーサの配置密度を均一にすることができる。
【００８９】
また、上記付設電極が、透明電極と略同一の電極パターンで設けられることにより、付設電極と透明電極とを同時に同一材料で形成して、製造工程を簡略化することが可能となるだけでなく、表示領域外も表示領域内と同じ電場にすることが可能となり、表示領域内におけるスペーサの配置密度を均一にすることができる。
【００９０】
また、付設電極が、透明電極による段差を緩和するために設けられるダミー電極であることにより、従来の電極パターンを流用して第二の本発明を実現することができる。
従って、表示領域の端部近傍でもスペーサの配置密度を均一にすることができる。
【００９１】
更に、付設電極が、他の目的のために設けられる表示用電圧を印加しないダミー電極とすることにより、従来の電極パターンを流用して第二の本発明を実現することができる。
上記ダミー電極としては、第一の本発明において説明したものと同様のものが挙げられる。
【００９２】
具体的な第二の本発明の実施形態について、図１１〜３９を用いて説明する。
通常、液晶表示装置の製造においては、第一の本発明において説明したように、スペーサの散布は、適量のスペーサを、上述した帯電方法により帯電させ、圧縮空気、圧縮窒素等により飛散させて基板上に散布することにより行われる。    図１１及び図１２は、第二の本発明の実施形態に係わる電極パターンを示す概略図である。図１１及び図１２に示すように、絶縁性基板１上に、ストライプ状の表示電極３ａ及び３ｂと、表示電極３ａ及び３ｂのそれぞれに電圧を印加するための補助電極２０ａ及び２０ｂと、表示領域外に設けられる付設電極２９とが形成されている。
【００９３】
補助電極２０ａ及び２０ｂ並びに付設電極２９には、補助電極２０ａ及び２０ｂ並びに付設電極２９に電圧を印加して電場を形成するための導線１８、１８ａ及び１８ｂが接続されている。尚、導線１８、１８ａ及び１８ｂを設けずに、プローブピン等を用いて補助電極２０ａ及び２０ｂ並びに付設電極２９に直接電圧を印加してもよいし、補助電極２０ａ及び２０ｂを設けずに、プローブピン等を用いて表示電極３ａ及び３ｂに直接電圧を印加してもかまわない。
【００９４】
表示電極３ａは、隣接する２つの表示電極を一対とする。表示電極３ｂは、一対の表示電極３ａと別の一対の表示電極３ａとの間に存在している表示電極であり、図１１では１つの表示電極３ｂが存在し、図１２では２つの表示電極３ｂが存在している。
【００９５】
付設電極２９は、従来の電極パターンにも形成されている表示電極による段差を緩和して、液晶層の層厚を均一に制御するためのダミー電極を流用してもかまわない。
また、付設電極２９は、従来の電極パターンにも形成されている表示用電圧が印加されないダミー電極を流用してもかまわない。
【００９６】
図１３は、第二の本発明の実施形態に係わる一対の絶縁性基板から２つの液晶表示装置を製造する場合における一方の絶縁性基板の電極パターンを示す概略図である。図１３に示すように、付設電極２９は、表示領域３０の図１３における上下方向の表示領域外にのみ配置している。これは、表示領域３０の図１３における左右方向の表示領域外には補助電極２０ａ及び２０ｂを形成しており、補助電極２０ａ及び２０ｂが付設電極２９と同様の効果をもたらすためである。尚、補助電極２０ｂ及び付設電極２９は導電部で接続されており、同一電圧が印加されるように形成されている。
【００９７】
そして、図１１に示すような電極パターンにより、補助電極２０ａ及び２０ｂ並びに付設電極２９に電圧値が異なる電圧を印加することによって、図１４〜１６に示すように、表示電極３ａ及び３ｂ並びに付設電極２９に負電圧（−）を印加し、かつ、表示電極３ａには表示電極３ｂ及び付設電極２９よりも相対的に高い電圧を印加する。更に、スペーサ８は負極性に帯電させて散布を行う。
【００９８】
このようにすれば、表示電極３ａ間にのみスペーサ８を配置することができ、表示領域３０の端部近傍の表示電極３ａ間も含めて、表示電極３ａ間に配置するスペーサ８を表示領域３０内で均一にすることができる。
【００９９】
即ち、図１４及び図１５において、散布されたスペーサ８は落下し、表示電極３ａ及び３ｂに近づくにつれて、表示電極３ａ及び３ｂ並びに付設電極２９上の上方に発生する電場による斥力がスペーサ８に作用し、スペーサ８は強い斥力を発生する表示電極３ｂ及び付設電極２９から離れ、弱い斥力を発生する表示電極３ａの方に移動する。そして、表示電極３ａの方に移動したスペーサ８は、隣接する２つの表示電極３ａのそれぞれから均等の斥力で押され、表示電極３ａ間に落下するのである。
【０１００】
また、図１６に示すように、表示領域３０としては全体的に負極性に帯電しているため、斥力がスペーサ８に作用し、表示領域３０の端部近傍のスペーサ８が表示領域３０外に移動する傾向があるが、付設電極２９に強い斥力を発生する電圧を印加しているため、表示領域３０の端部近傍のスペーサ８が表示領域３０外に移動することを抑制することができる。
【０１０１】
尚、図１４及び図１５中に半円形状で示したものは、スペーサ８に作用する斥力を模式的に示したもので、スペーサ８に作用する斥力の強弱を半円形状の大きさで示している。また、破線はスペーサ８に作用する斥力の合成力を模式的に示している。
また、図１６中に半楕円形状で示したものは、スペーサ８に作用する斥力を模式的に示したものである。
【０１０２】
本実施形態によれば、スペーサ８が隣接する２つの表示電極３ａのそれぞれから均等の斥力で押されて表示電極３ａ間に落下するため、表示電極３ａ間の中央部にスペーサ８を集中的に配置することができ、表示電極３ａのエッジ部にスペーサ８が配置されてしまう確率を小さくすることができる。
【０１０３】
図１７は、第二の本発明の実施形態に係わる一対の絶縁性基板から２つの液晶表示装置を製造する場合における一方の絶縁性基板の電極パターンを示す概略図である。図１７に示すように、付設電極２９は、表示領域３０の図１７における上下方向の表示領域外にのみ配置している。これは、表示領域３０の図１７における左右方向の表示領域外には補助電極２０ａ及び２０ｂを形成しており、補助電極２０ａ及び２０ｂが付設電極２９と同様の効果をもたらすためである。
【０１０４】
そして、図１１に示すような電極パターンによる補助電極２０ａ及び２０ｂ並びに付設電極２９に電圧値が異なる電圧を印加することにより、図１８〜２０に示すように、表示電極３ａ及び３ｂ並びに付設電極２９に正電圧（＋）を印加し、かつ、表示電極３ａ及び付設電極２９には表示電極３ｂよりも相対的に高い電圧を印加する。更に、スペーサ８は負極性に帯電させて散布を行う。
【０１０５】
このようにすれば、表示電極３ａ間にのみスペーサ８を配置することができ、表示領域３０の端部近傍の表示電極３ａ間も含めて、表示電極３ａ間に配置するスペーサ８を表示領域３０内で均一にすることができる。
【０１０６】
即ち、図１８及び図１９において、散布されたスペーサ８は落下し、表示電極３ａ及び３ｂに近づくにつれて、表示電極３ａ及び３ｂ並びに付設電極２９上の上方に発生する電場による引力がスペーサ８に作用し、スペーサ８は弱い引力を発生する表示電極３ｂから離れ、強い引力を発生する表示電極３ａ及び付設電極２９の方に移動する。そして、表示電極３ａの方に移動したスペーサ８は、隣接する２つの表示電極３ａのそれぞれから均等の引力で引き付けられ、表示電極３ａ間に落下するのである。
【０１０７】
また、図２０に示すように、表示領域３０としては全体的に正極性に帯電しているため、引力がスペーサ８に作用し、表示領域３０の端部近傍のスペーサ８が表示領域３０外から表示領域３０内に移動する傾向があるが、付設電極２９に強い引力を発生する電圧を印加しているため、スペーサ８が表示領域３０外から表示領域３０内に移動することを抑制し、表示電極３ａ間に配置するスペーサ８の密度を所定の密度に保つことができる。
【０１０８】
尚、図１８及び図１９中に半円形状で示したものは、スペーサ８に作用する引力を模式的に示したもので、スペーサ８に作用する引力の強弱を半円形状の大きさで示している。また、破線はスペーサ８に作用する引力の合成力を模式的に示している。
また、図２０中に半楕円形状で示したものは、スペーサ８に作用する引力を模式的に示したものである。
【０１０９】
図１７に示すような絶縁性基板の電極パターンにおいて、図１２に示すような電極パターンにより、補助電極２０ａ及び２０ｂ並びに付設電極２９に電圧値が異なる電圧を印加することによって、図２１〜２３に示すように、表示電極３ａに正電圧（＋）を印加し、表示電極３ｂ及び付設電極２９に負電圧（−）を印加し、かつ、表示領域３０全体として負極性に帯電するようにする。更に、スペーサ８は負極性に帯電させて散布を行う。
【０１１０】
このようにすれば、表示電極３ａ間にのみスペーサ８を配置することができ、表示領域３０の端部近傍の表示電極３ａ間も含めて、表示電極３ａ間に配置するスペーサ８を表示領域３０内で均一にすることができる。
【０１１１】
即ち、図２１及び図２２において、散布されたスペーサ８は落下し、表示電極３ａ及び３ｂに近づくにつれて、表示電極３ａ及び３ｂ並びに付設電極２９上の上方に発生する電場による斥力及び引力がスペーサ８に作用し、スペーサ８は斥力を発生する表示電極３ｂ及び付設電極２９から離れ、引力を発生する表示電極３ａの方に移動する。そして、表示電極３ａの方に移動したスペーサ８は、隣接する２つの表示電極３ａのそれぞれから均等の引力で引き付けられ、表示電極３ａ間に落下するのである。
【０１１２】
また、図２３に示すように、表示領域３０としては全体的に負極性に帯電しているため、斥力がスペーサ８に作用し、表示領域３０の端部近傍のスペーサ８が表示領域３０外に移動する傾向があるが、付設電極２９に斥力を発生する電圧を印加しているため、表示領域３０の端部近傍のスペーサ８が表示領域３０外に移動することを抑制することができる。
【０１１３】
尚、図２１及び図２２中に半円形状で示したものは、スペーサ８に作用する斥力及び引力を模式的に示したもので、スペーサ８に作用する斥力の強弱を上に凸の半円形状の大きさで、スペーサ８に作用する引力の強弱を下に凸の半円形状の大きさで示している。また、破線はスペーサ８に作用する斥力及び引力の合成力を模式的に示している。
【０１１４】
図１７に示すような絶縁性基板の電極パターンにおいて、図１２に示すような電極パターンにより、補助電極２０ａ及び２０ｂ並びに付設電極２９に電圧値が異なる電圧を印加することによって、図２４〜２６に示すように、表示電極３ａ及び付設電極２９に正電圧（＋）を印加し、表示電極３ｂに負電圧（−）を印加し、かつ、表示領域３０全体として正極性に帯電するようにする。更に、スペーサ８は負極性に帯電させて散布を行う。
【０１１５】
このようにすれば、表示電極３ａ間にのみスペーサ８を配置することができ、表示領域３０の端部近傍の表示電極３ａ間も含めて、表示電極３ａ間に配置するスペーサ８を表示領域３０内で均一にすることができる。
【０１１６】
即ち、図２４及び図２５において、散布されたスペーサ８は落下し、表示電極３ａ及び３ｂに近づくにつれて、表示電極３ａ及び３ｂ並びに付設電極２９上の上方に発生する電場による斥力及び引力がスペーサ８に作用し、スペーサ８は斥力を発生する表示電極３ｂから離れ、引力を発生する表示電極３ａ及び付設電極２９の方に移動する。そして、表示電極３ａの方に移動したスペーサ８は、隣接する２つの表示電極３ａのそれぞれから均等の引力で引き付けられ、表示電極３ａ間に落下するのである。
【０１１７】
また、図２６に示すように、表示領域３０としては全体的に正極性に帯電しているため、引力がスペーサ８に作用し、表示領域３０の端部近傍のスペーサ８が表示領域３０外から表示領域３０内に移動する傾向があるが、付設電極２９に引力を発生する電圧を印加しているため、スペーサ８が表示領域３０外から表示領域３０内に移動することを抑制し、表示電極３ａ間に配置するスペーサ８の密度を所定の密度に保つことができる。
【０１１８】
図２７は、第二の本発明の実施形態に係わる電極パターンを示す概略図である。図２８は、第二の本発明の実施形態に係わる一対の絶縁性基板から２つの液晶表示装置を製造する場合における一方の絶縁性基板の電極パターンを示す概略図である。図２７及び図２８に示すように、付設電極２９は、表示領域３０外に表示領域３０の周囲を囲むように配置している。
【０１１９】
付設電極２９には、付設電極２９に電圧を印加して電場を形成するための導線１８が接続されている。尚、導線１８を設けずに、プローブピン等を用いて付設電極２９に直接電圧を印加してもよい。
【０１２０】
表示電極３ａは、隣接する２つの表示電極を一対とする。表示電極３ｂは、一対の表示電極３ａと別の一対の表示電極３ａとの間に存在している表示電極であり、図２７では１つの表示電極３ｂが存在している。
【０１２１】
図２８に示すような絶縁性基板の電極パターンにおいて、図２７に示すような電極パターンにより、表示電極３ａ及び３ｂ並びに付設電極２９に電圧値が異なる電圧を印加することによって、図２９〜３１に示すように、表示電極３ａに正電圧（＋）を印加し、表示電極３ｂ及び付設電極２９に負電圧（−）を印加し、かつ、表示領域３０全体として負極性に帯電するようにする。更に、スペーサ８は負極性に帯電させて散布を行う。
【０１２２】
このようにすれば、表示電極３ａ間にのみスペーサ８を配置することができ、表示領域３０の端部近傍の表示電極３ａ間も含めて、表示電極３ａ間に配置するスペーサ８を表示領域３０内で均一にすることができる。
【０１２３】
即ち、図２９及び図３０において、散布されたスペーサ８は落下し、表示電極３ａ及び３ｂに近づくにつれて、表示電極３ａ及び３ｂ並びに付設電極２９上の上方に発生する電場による斥力及び引力がスペーサ８に作用し、スペーサ８は斥力を発生する表示電極３ｂ及び付設電極２９から離れ、引力を発生する表示電極３ａの方に移動する。そして、表示電極３ａの方に移動したスペーサ８は、隣接する２つの表示電極３ａのそれぞれから均等の引力で引き付けられ、表示電極３ａ間に落下するのである。
【０１２４】
また、図３１に示すように、表示領域３０としては全体的に負極性に帯電しているのと同等であるため、斥力がスペーサ８に作用し、表示領域３０の端部近傍のスペーサ８が表示領域３０外に移動する傾向があるが、付設電極２９に斥力を発生する電圧を印加しているため、表示領域３０の端部近傍のスペーサ８が表示領域３０外に移動することを抑制することができる。
【０１２５】
図３２は、第二の本発明の実施形態に係わる電極パターンを示す概略図である。図３２に示すように、絶縁性基板１上に、ストライプ状の表示電極３ａ及び３ｂと、表示電極３ａ及び３ｂのそれぞれに電圧を印加するための補助電極２０ａ及び２０ｂとが形成されている。更に、表示電極３ａ及び３ｂを表示領域３０外にも形成しておき、表示領域３０外に形成した表示電極３ａと同じものを付設電極２９ａとし、表示領域３０外に形成した表示電極３ｂと同じものを付設電極２９ｂとする。
【０１２６】
補助電極２０ａ及び２０ｂには、補助電極２０ａ及び２０ｂに電圧を印加して電場を形成するための導線１８ａ及び１８ｂが接続されている。尚、１８ａ及び１８ｂを設けずに、プローブピン等を用いて補助電極２０ａ及び２０ｂに直接電圧を印加してもよいし、補助電極２０ａ及び２０ｂを設けずに、プローブピン等を用いて表示電極３ａ及び３ｂ並びに付設電極２９ａ及び２９ｂに直接電圧を印加してもかまわない。
【０１２７】
表示電極３ａは、隣接する２つの表示電極を一対とする。表示電極３ｂは、一対の表示電極３ａと別の一対の表示電極３ａとの間に存在している表示電極であり、図３２の場合では１つの表示電極３ｂが存在している。
【０１２８】
付設電極２９は、表示領域３０の図３２における上下方向の表示領域外にのみ配置している。これは、表示領域３０の図３２における左右方向の表示領域外には補助電極２０ａ及び２０ｂを形成しており、補助電極２０ａ及び２０ｂが付設電極２９と同様の効果をもたらすためである。
【０１２９】
図３２に示すような電極パターンによる補助電極２０ａ及び２０ｂに電圧値が異なる電圧を印加することにより、図３３〜３５に示すように、表示電極３ａ及び３ｂ並びに付設電極２９ａ及び２９ｂに負電圧（−）を印加し、かつ、表示電極３ａ及び付設電極２９ａには表示電極３ｂ及び付設電極２９ｂよりも相対的に高い電圧を印加する。更に、スペーサ８は負極性に帯電させて散布を行う。
【０１３０】
このようにすれば、表示電極３ａ間にのみスペーサ８を配置することができ、表示領域３０の端部近傍の表示電極３ａ間も含めて、表示電極３ａ間に配置するスペーサ８を表示領域３０内で均一にすることができる。
【０１３１】
即ち、図３３及び図３４において、散布されたスペーサ８は落下し、表示電極３ａ及び３ｂに近づくにつれて、表示電極３ａ及び３ｂ並びに付設電極２９上の上方に発生する電場による斥力がスペーサ８に作用し、スペーサ８は強い斥力を発生する表示電極３ｂから離れ、弱い斥力を発生する表示電極３ａの方に移動する。そして、表示電極３ａの方に移動したスペーサ８は、隣接する２つの表示電極３ａのそれぞれから均等の斥力で押され、表示電極３ａ間に落下するのである。
【０１３２】
また、図３５に示すように、電極パターンとしては全体的に負極性に帯電しているため、斥力がスペーサ８に作用し、電極パターンの端部近傍のスペーサ８が電極パターン外に移動する傾向があるが、電極パターンの図３５における上下方向の端部近傍に位置するのは付設電極２９ａ及び２９ｂであり、電極パターンの端部近傍にスペーサ８が配置されなくてもかまわない。つまり、表示領域３０は電極パターンの中央部に位置しているため、表示領域３０内には所定の密度でスペーサ８を配置することができる。
【０１３３】
図１７に示すような絶縁性基板の電極パターンにおいて、図１１に示すような電極パターンによる補助電極２０ａ及び２０ｂ並びに付設電極２９に電圧値が異なる電圧を印加することにより、図３６〜３８に示すように、表示電極３ａ及び３ｂ並びに付設電極２９に正電圧（＋）を印加し、かつ、表示電極３ｂ及び付設電極２９には表示電極３ａよりも相対的に高い電圧を印加する。更に、スペーサ８は正極性に帯電させて散布を行う。
【０１３４】
このようにすれば、表示電極３ａ間にのみスペーサ８を配置することができ、表示領域３０の端部近傍の表示電極３ａ間も含めて、表示電極３ａ間に配置するスペーサ８を表示領域３０内で均一にすることができる。
【０１３５】
即ち、図３６及び図３７において、散布されたスペーサ８は落下し、表示電極３ａ及び３ｂに近づくにつれて、表示電極３ａ及び３ｂ並びに付設電極２９上の上方に発生する電場による斥力がスペーサ８に作用し、スペーサ８は強い斥力を発生する表示電極３ｂ及び付設電極２９から離れ、弱い斥力を発生する表示電極３ａの方に移動する。そして、表示電極３ａの方に移動したスペーサ８は、隣接する２つの表示電極３ａのそれぞれから均等の斥力で押され、表示電極３ａ間に落下するのである。
【０１３６】
また、図３８に示すように、表示領域３０としては全体的に正極性に帯電しているため、斥力がスペーサ８に作用し、表示領域３０の端部近傍のスペーサ８が表示領域３０外に移動する傾向があるが、付設電極２９に強い斥力を発生する電圧を印加しているため、スペーサ８が表示領域３０外に移動することを抑制することができる。
【０１３７】
本実施形態によれば、スペーサ８が隣接する２つの表示電極３ａのそれぞれから均等の斥力で押されて表示電極３ａ間に落下するため、表示電極３ａ間の中央部にスペーサ８を集中的に配置することができ、表示電極３ａのエッジ部にスペーサ８が配置されてしまう確率を小さくすることができる。
【０１３８】
以上のように、第二の本発明の実施形態について説明したが、第二の本発明はこれらの実施形態のみに限定されるのではなく、図３９に示すスペーサ８を負極性に帯電させている場合の本発明における相対的な電圧の高低の関係にしたがって同様の効果を得ることができる。
【０１３９】
図３９は、スペーサ８を負極性に帯電させている場合を示し、表示電極に印加する相対的な電圧の高低と、その電圧がスペーサ８に及ぼす斥力又は引力の大きさの関係を説明する概念図である。
【０１４０】
電圧の基準として、スペーサ８に及ぼす斥力又は引力が作用しないアース電圧を０Ｖとした場合、相対的な電圧の高低、及び、電圧の極性を＋及び−で示している。
即ち、図３９では、＋３００Ｖは＋５００Ｖよりも相対的に低い電圧となり、−３００Ｖは−５００Ｖよりも相対的に高い電圧となる。
【０１４１】
一定の距離をおいた表示電極とスペーサ８との間には、表示電極に印加する電圧の極性によって、表示電極上の上方に発生する電場による斥力又は引力がスペーサ８に作用する。図３９では、スペーサ８が負極性なので負極性（−）の電圧で斥力が発生し、正極性（＋）の電圧で引力が発生する。そして、この斥力及び引力は、負極性（−）の電圧側に位置する程斥力が大きくなり、正極性（＋）の電圧側に位置する程引力が大きくなるのである。
即ち、＋３００Ｖよりも＋５００Ｖの方が引力が大きくなり、−３００Ｖよりも−５００Ｖの方が斥力が大きくなるのである。
【０１４２】
なお、スペーサ８が正極性に帯電している場合は、引力と斥力が逆転するだけであり、負極性（−）の電圧で引力が発生し、正極性（＋）の電圧で斥力が発生する。そして、この斥力及び引力は、負極性（−）の電圧側に位置する程引力が大きくなり、正極性（＋）の電圧側に位置する程斥力が大きくなるのである。
即ち、＋３００Ｖよりも＋５００Ｖの方が斥力が大きくなり、−３００Ｖよりも−５００Ｖの方が引力が大きくなるのである。
【０１４３】
また、本発明における相対的な電圧の高低は、図３９に示すように、スペーサ８に作用する力の大きさとは関係なく、負極性（−）の電圧側に位置する電圧を低いと定義し、正極性（＋）の電圧側に位置する電圧を高いと定義している。
即ち、＋３００Ｖよりも＋５００Ｖの方が相対的に電圧が高いと定義し、−３００Ｖよりも−５００Ｖの方が相対的に電圧が低いと定義しているのである。
【０１４４】
尚、この定義は、スペーサ８が正極性に帯電している場合も同様であり、＋３００Ｖよりも＋５００Ｖの方が相対的に電圧が高いと定義し、−３００Ｖよりも−５００Ｖの方が相対的に電圧が低いと定義している。
【０１４５】
ここで、図４０及び図４１を用いて、付設電極２９を設けない場合の不具合について説明する。
図４０は、付設電極２９を設けない場合に表示領域３０として全体的に負極性に帯電しているときを示す概念図である。図４０に示すように、表示領域３０としては全体的に負極性に帯電しているため、スペーサ８を負極性に帯電させて散布を行えば、スペ一サ８に斥力が作用する。
【０１４６】
表示領域３０の中央部では、スペーサ８が周りから一様に斥力を受けるため、スペーサ８は局所的な電場の影響のみを受け、表示電極３ａ間に配置される。しかしながら、表示領域３０の端部近傍では、表示領域３０としての全体的な電場による斥力を受け、表示領域３０の端部近傍のスペーサ８は電場を形成していない表示領域３０外へ移動してしまい、表示領域３０の端部近傍の表示電極３ａ間には所定量のスペーサ８を配置しにくくなるという不具合が生じる。
【０１４７】
一方、図４１は、付設電極２９を設けない場合に表示領域３０として全体的に正極性に帯電しているときを示す概念図である。図４１に示すように、表示領域３０としては全体的に正極性に帯電しているため、スペーサ８を負極性に帯電させて散布を行えば、引力がスペーサ８に作用する。
【０１４８】
表示領域３０の中央部では、スペーサ８が周りから一様に引力を受けるため、スペーサ８は局所的な電場の影響のみを受け、表示電極３ａ間に配置される。しかしながら、表示領域３０の端部近傍では、表示領域３０としての全体的な電場による引力を受け、スペーサ８は電場を形成していない表示領域３０外から表示領域３０内へ移動してしまい、表示領域３０の端部近傍の表示電極３ａ間には所定量よりも多いスペーサ８が配置されるという不具合が生じる。
【０１４９】
上記実施形態では、表示電極が形成された絶縁性基板上に付設電極２９を設けることにより、電場を制御する方法について述べたが、他に表示電極が形成された絶縁性基板を固定するためのステージやスペーサ散布装置壁面等に付設電極２９を設け、電圧を印加して同様の効果を得る方法もある。
【０１５０】
また、第二の本発明によれば、付設電極２９に印加する電圧を調節することで、表示領域３０の端部近傍に配置されるスペーサ密度の制御も可能となり、スペーサ配置密度による液晶表示装置の液晶層の層厚の微調整も可能となる。
【０１５１】
更に、上記実施形態では、単純マトリクス型液晶表示装置を用いているが、第二の本発明は単純マトリクス型液晶表示装置に限定されるものではなく、強誘電性液晶表示装置又はＴＦＴ型液晶表示装置等の液晶表示装置でも当然利用できるものである。
【０１５２】
第三の本発明は、少なくともパターン状の透明電極及びダミー電極から構成される第一の基板及び第一の基板の上に対向配置される第二の基板のうち少なくとも一方の基板にスペーサを散布し、両基板の間隙に液晶を注入してなる液晶表示装置の製造方法であって、正極性又は負極性に帯電したスペーサを基板上に散布するに際し、透明電極毎に２値又はそれ以上の異なる電圧を印加し、かつ、ダミー電極にも電圧を印加して、スペーサを選択的に配置する所定の透明電極間は、隣接する透明電極間であり、透明電極の本数は、偶数であり、２値又はそれ以上の異なる電圧の透明電極への印加方法は、スペーサの帯電極性が正極性（＋）である場合には、電極間隙の中央にスペーサが配置される隣接する透明電極に印加する２値又はそれ以上の異なる電圧は、最も低い電圧であり、スペーサの帯電極性が負極性（−）である場合には、電極間隙の中央にスペーサが配置される隣接する透明電極に印加する２値又はそれ以上の異なる電圧は、最も高い電圧である液晶表示装置の製造方法である。
【０１５３】
上記透明電極、ダミー電極、基板、スペーサ及びスペーサの帯電方法としては、第一の本発明において説明したのと同様である。また、第二の本発明において説明したのと同様に、第三の本発明の液晶表示装置の製造方法をＴＦＴ型液晶表示装置の製造方法に適用することができる。
【０１５４】
スペーサを選択的に配置する所定の透明電極間は、スペーサを正極性（＋）に帯電させている場合には、透明電極に印加する２値又はそれ以上の異なる電圧のうち、最も低い電圧を印加する透明電極間であり、スペーサを負極性（−）に帯電させている場合には、透明電極に印加する２値又はそれ以上の異なる電圧のうち、最も高い電圧を印加する透明電極間である。
【０１５５】
例えば、図１４のように規則的に強い斥力、弱い斥力が並んだ場合、斥力の合成力の谷間又は山は、弱い斥力の透明電極領域、又は、強い斥力の透明電極の領域（図９のような領域）の中心に位置することになる。
【０１５６】
従って、図１４の場合、スペーサは弱い斥力の中心位置に配置されることになるので、そこに透明電極の線間が存在すればよい。これを達成するためには、弱い斥力を与える透明電極を偶数本としておけば、その領域の中心は透明電極の間隙と一致することになる。
【０１５７】
また、例えば、図２２のように規則的に斥力、引力が並んだ場合、斥力と引力との合成力の谷間又は山は、斥力の透明電極領域、又は、引力の透明電極の領域（図９のような領域）の中心に位置することになる。
【０１５８】
従って、図２２の場合、スペーサは引力の中心位置に配置されることになるので、そこに透明電極の線間が存在すればよい。これを達成するためには、引力を与える透明電極を偶数本としておけば、その領域の中心は透明電極の間隙と一致することになる。
【０１５９】
しかし、図１４の場合では弱い斥力を与える透明電極、図２２の場合では引力を与える透明電極の本数が奇数本では、スペーサが配置される位置は、透明電極の中心の位置になってしまう。
【０１６０】
透明電極への電圧印加は、スペーサの帯電極性が負極性（−）である場合には、最も高い電圧を与える透明電極に対しては各透明電極の両端のうちの一方に各透明電極を導通させる共通の導通線（Ａ）を設けて、該導通線（Ａ）により行い、上記電圧より低い電圧を与える透明電極に対しては各透明電極の両端のうちの他方に各透明電極を導通させる共通の導通線（Ｂ）を設けて、該導通線（Ｂ）により行い、スペーサの帯電極性が正極性（＋）である場合には、最も低い電圧を与える透明電極に対しては各透明電極の両端のうちの一方に各透明電極を導通させる共通の導通線（Ａ）を設けて、該導通線（Ａ）により行い、上記電圧より高い電圧を与える透明電極に対しては各透明電極の両端のうちの他方に各透明電極を導通させる共通の導通線（Ｂ）を設けて、該導通線（Ｂ）により行うことができる。
【０１６１】
例えば、図４２に示すような２：１構造のくし形電極を用いて、導通線（Ａ）に対して、スペーサの帯電極性が負極性（−）である場合には、最も高い電圧を印加し、導通線（Ｂ）に対して、上記電圧より低い電圧を印加することにより、スペーサを空隙ａに配置することができる。スペーサが配置された後は、図中の点線に沿って導通線（Ａ）及び導通線（Ｂ）を切断することにより、ストライプ状透明電極とされる。
【０１６２】
上述の通り、第三の本発明においては、スペーサの散布に際して、パターン状の透明電極毎に２値又はそれ以上の異なる電圧を印加することにより、透明電極の存在しない電極間隙、すなわち、ブラックマトリックス部分にスペーサを配置することができる。
【０１６３】
ここで、スペーサ散布時に、ダミー電極に電圧を印加せず、単に、透明電極に２値又はそれ以上の異なる電圧を印加するのみでは、第一及び第二の本発明において詳述したのと同様に、表示領域外周付近のスペーサ数が増減する現象が見られ、第一及び第二の本発明において説明したのと同様に、液晶表示装置を製造するときに、スペーサの歪みが変化し、セル厚が変化して、液晶表示装置の表示が不均一となる。
【０１６４】
これらの現象を防止するため、第三の本発明においては、ダミー電極にも電圧を印加することにより、表示領域の内側部分と最外周部付近とにおけるスペーサの配置数のムラの発生を防止することができるため、それに起因するセル厚の不均一を解消することができる。従って、均一な表示特性を有する液晶表示装置を得ることができる。
【０１６５】
上記ダミー電極としては、第一の本発明において説明したものと同様のものが挙げられる。
以下に、ダミー電極への電圧の印加について説明する。
ダミー電極に印加される電圧の電圧値は、透明電極に印加される２値又はそれ以上の異なる電圧のうち、最も高い電圧と最も低い電圧との範囲内であることが好ましい。すなわち、透明電極上に形成される相対的に高い電位（＋（正））の領域と相対的に低い電位（−（負））の領域とからなる電場を、ダミー電極上にまで拡張することにより、図４３に示すように、配置されるスペーサの数の減少又は増大をダミー電極の部分において発生させるのである。従って、表示領域においては、スペーサは均一に配置されることになる。
【０１６６】
ダミー電極への電圧の印加は、ダミー電極を導通線（Ａ）又は導通線（Ｂ）のいずれか一方に導通させることにより行うことが好ましい。
例えば、図４４に示すように、導通線（Ｂ）とダミー電極とを導通させることにより、導通線（Ｂ）とダミー電極とに同電位を印加することが可能となる。なお、図４４に示す場合においては、導通線（Ｂ）とダミー電極とが一体の電極として形成されているが、導通線（Ａ）とダミー電極とが一体の電極として形成されていてもよく、更には、基板上に別個独立して設けられた導通線（Ａ）又は（Ｂ）とダミー電極とを互いに配線することにより導通させてもよい。
【０１６７】
また、ダミー電極への電圧の印加は、基板上に形成された全てのダミー電極のそれぞれを互いに導通させることにより行うこともできる。
例えば、図４５に示すように、基板上に形成された全てのダミー電極を配線することにより導通させれば、全てのダミー電極に同電位を印加することが可能となる。
【０１６８】
第四の本発明は、少なくともパターン状の透明電極及びダミー電極から構成される第一の基板及び第一の基板の上に対向配置される第二の基板のうち少なくとも一方の基板にスペーサを散布し、両基板の間隙に液晶を注入してなる液晶表示装置の製造方法であって、正極性又は負極性に帯電した上記スペーサを上記基板上に散布するに際し、アースされた導電性ステージに基板を密着させて設置し、導電性ステージとは電気的に絶縁された状態の導電体を設け、該導電体は、開口部が形成された導電枠であり、該導電枠は、基板の外周部分に、基板外周部の一部と重なる状態で、又は、重ならない状態で設置され、上記透明電極に電圧を印加し、かつ、導電枠にも電圧を印加する液晶表示装置の製造方法である。
【０１６９】
上記パターン状の透明電極、基板、スペーサ及びスペーサの帯電方法としては、第一の本発明において説明したのと同様である。また、第二の本発明において説明したのと同様に、第四の本発明の液晶表示装置の製造方法をＴＦＴ型液晶表示装置の製造方法に適用することができる。
【０１７０】
第四の本発明の液晶表示装置の製造方法においては、ブラックマトリックスが形成された基板を導電性ステージに密着させた状態で、スペーサの帯電極性と同極性の電圧をパターン状の透明電極に印加して、パターン状の透明電極上に斥力が働く電場を形成しても、電極間に配置させることができ、スペーサの配置には支障がない。
【０１７１】
ここで、スペーサ散布時に、単に、透明電極に電圧を印加するのみでは、第一及び第二の本発明において詳述したのと同様に、表示領域外周付近のスペーサ数が増減する現象が見られ、液晶表示装置を製造するときに、スペーサの歪みが変化し、セル厚が変化して、液晶表示装置の表示が不均一となる。
【０１７２】
また、基板の帯電防止等に用いられるダミー電極を利用して、このダミー電極にも透明電極と同極性の電圧を印加することによって、基板上の電場による斥力が基板全体として均一になるようにして、表示領域と表示領域の外側の領域とのスペーサの分布量を制御することも考えられるが、この方法では、ダミー電極を、表示領域の外側まで存在させ、スペーサの散布範囲より充分に広いものとする必要があり、スペース的に不利である。
【０１７３】
これらの現象を防止するため、第四の本発明においては、正極性又は負極性に帯電したスペーサを基板上に散布するに際し、アースされた導電性ステージに基板を密着させて設置し、導電性ステージとは電気的に絶縁された状態の導電体を設け、該導電体は、開口部が形成された導電枠であり、該導電枠は、基板の外周部分に、基板外周部の一部と重なる状態で、又は、重ならない状態で設置され、透明電極に電圧を印加し、かつ、導電枠にも電圧を印加して、基板外にも基板内と略同一の電場を形成することにより、基板上に斥力の働く範囲が広まり、スペーサの増減は基板外の部分で吸収されてしまうため、表示領域は均一なスペーサ数となる。
【０１７４】
アースされた導電性ステージは、体積抵抗値が１×１０10Ωｃｍ以下のものが好ましい。体積抵抗値が１×１０10Ωｃｍを超えると、基板全体が透明電極の電位に近くなってしまい、スペーサの配置精度が劣る。
【０１７５】
電気的に浮いた電極があるとその部分にスペーサが集中して散布されてしまうことから、基板上に形成された透明電極にスペーサの帯電極性と同極性の電圧を印加する方法は、全ての透明電極に電圧を印加して、電気的に浮いた電極がないようにするのが好ましい。
【０１７６】
上記導電体の材質としては特に限定されず、例えば、アルミニウム、鉄、銅、ステンレス等の金属；樹脂に金属等をコーティングして導電性としたもの等が挙げられる。また、上記導電体としては、樹脂上にアルミニウム箔、銅箔等の金属薄膜、薄板等を積層して形成されるものであってもよい。
【０１７７】
上記導電体の形状は、一枚のガラス基板から数枚の液晶パネルを作製する多面取りの場合、それぞれの表示領域に対応した開口部をもつ形状であってもよい。
上記導電性ステージと導電体との絶縁方法としては特に限定されず、例えば、樹脂等の絶縁体を挟んで絶縁してもよいし、空間を開けて空気により絶縁してもよい。
【０１７８】
上記基板への電圧印加方法としては特に限定されず、例えば、図２に示すように、基板上の線状透明電極外にダミー電極を設け、該ダミー電極と線状透明電極とを導通させ、基板を設置する導電性ステージとは電気的に絶縁された状態の導電枠からダミー電極に電圧を印加する方法等が挙げられる。また、導電枠からダミー電極への電圧を印加する方法としては特に限定されず、例えば、導電枠から針状のものを形成することにより行う方法等が挙げられる。
【０１７９】
上記基板上の透明電極及び導電枠に印加される電圧値は、数百Ｖ〜数ＫＶが好ましい。印加電圧が小さすぎると、スペーサの落下経路を制御しにくくなり、印加電圧が大きすぎると、導電性ブラックマトリックス等を用いている場合、透明電極とブラックマトリックス間でショートしてしまう場合がある。
【０１８０】
上記導電枠の形成は、導電体の平板で形成してもよいし、網状、棒状、線状等の導電体で形成してもよい。導電体の平板で形成する場合、板面に穴等を開けて、空気の流れをよくするような構造としてもよい。
【０１８１】
具体的な第四の本発明の液晶表示装置の製造方法について、図４６〜５１を用いて説明する。
図４６は、２面取りの場合における第四の本発明の一実施形態であるが、導電性ステージ上に、第一の基板と同じ厚みの樹脂等の絶縁物を挟むことにより導電枠を形成し、その導電枠を、基板の外周部と重なりをもった状態で設置する。このようにすることにより、導電枠は、基板の外周部分と重なる状態となり、すきまのない状態で導電枠を設置することができる。
【０１８２】
図４７に示した第四の本発明の一実施形態においては、導電性のステージ上に絶縁体を挟んで、基板の形状と同一の開口部を設けた導電枠を基板に設置する。
この状態で透明電極と同極性の電圧を導電枠に印加することにより、斥力電場の範囲が広まり、スペーサの増減は導電枠の部分で吸収されてしまうため、表示領域のスペーサ数は均一となる。
【０１８３】
上記導電性ステージと導電枠との設置は、導電枠を単独にして上からかぶせるような機構としてもよいし、ちょうつがい等を用いて開閉ができるような機構としてもよい。
図４８は、第四の本発明の液晶表示装置の製造方法におけるスペーサの散布状況を示すものであり、斥力を利用する場合である。
図４７の場合等では、ストライプ状透明電極、ダミー電極、導電枠のすべてに電圧を印加することにより、斥力電場をより広くすることができるため、表示領域の均一性が高まる。この場合の電極構造を図２及び図３に示す。
【０１８４】
ダミー電極と透明電極とを導通させた場合には、電圧の印加方法として、基板を設置する導電性ステージとは電気的に絶縁された状態の導電枠からダミー電極に電圧を印加することが可能となる。
【０１８５】
導電枠からダミー電極への電圧印加方法としては、例えば、図４９及び図５０に示すように、導電枠の基板と対向する平板面、導電枠の平板上又は導電枠側面から針状のものを形成すること等により行うことができる。
【０１８６】
また、導電枠と表示領域までの距離によっては、透明電極に印加する電圧とは異なる電圧を導電枠に印加しなければ均一性を確保できない場合がある。
例えば、図５１に示すように、斥力を用いてスペーサを配置させる場合、表示領域と導電枠との距離が離れていると、その間にスペーサが逃げる場合がある。このような場合、導電枠には表示領域よりも強い斥力電圧を印加し、反発力を利用して表示領域の最外周部に逆に飛ばすことが必要となる。
【０１８７】
第四の本発明においては、スペーサの帯電と透明電極に電圧を印加してスペーサを電極間隙に配置させる方法であって、基板外周部に導電性の枠（導電枠）を設置し、それに電圧を印加することによりスペーサの落下制御を行うので、スペーサを基板全体にわたり配置することができ、セルギャップが均一で、表示にムラのない高品質の表示性能が得られる。
【０１８８】
上記導電枠は、スペーサの散布を終了した後に取り除き、その後、通常の方法に基づいて第二の基板を対向配置し、その間隙に液晶を注入することにより液晶表示装置を製造することができる。
【０１８９】
第五の本発明は、少なくともパターン状の透明電極及び配向膜から構成され、表示領域を有する第一の基板及び第一の基板の上に対向配置される第二の基板のうち少なくとも一方の基板にスペーサを散布し、両基板の間隙に液晶を注入してなる液晶表示装置の製造方法であって、正極性又は負極性に帯電した上記スペーサを上記基板上に散布するに際し、アースされた導電性ステージに基板を密着させて設置し、基板上の透明電極にスペーサの帯電極性と同極性の電圧を印加し、導電性ステージとは電気的に絶縁された状態の導電体を表示領域外に設け、透明電極に印加した電圧の極性と同極性の電圧を導電体に印加して、基板外にも基板内と略同一の電場を形成する液晶表示装置の製造方法である。
【０１９０】
上記透明電極、基板、スペーサ及びスペーサの帯電方法としては、第一の本発明において説明したのと同様である。また、第二の本発明において説明したのと同様に、第五の本発明の液晶表示装置の製造方法をＴＦＴ型液晶表示装置の製造方法に適用することができる。
【０１９１】
例えば、帯電したスペーサを散布する際、少なくともパターン状の透明電極及び配向膜から構成され、表示領域を有する基板がアースされていないか、又は、図５２に示すように、アースされていない導電性ステージに基板を密着させて設置し、基板上のパターン状の透明電極に、帯電したスペーサの帯電極性と同極性の電圧を印加しても、その電場は一様に近く（図５２ではある電位の等電位面として図示）、スペーサの選択配置は行われない。
【０１９２】
一方、図５３に示すように、基板をアースされた導電性ステージに密着させて設置し、基板上のパターン状の透明電極に、帯電したスペーサの帯電極性と同極性の電圧を印加することで、透明電極間隙の電位が下がり、配置に適する電場が形成され（図５３ではある電位の等電位面として図示）、斥力でスペーサを透明電極の間隙に配置することができる。
【０１９３】
しかしながら、パターン状の透明電極に印加する電圧により電場が形成され、スペーサに対して斥力が働く場合、表示領域外周付近のスペーサ数が少なくなる現象が見られ、第一及び第二の本発明において説明したのと同様に、液晶表示装置を製造するときに、スペーサの歪みが変化し、セル厚が変化して、液晶表示装置の表示が不均一となる。
【０１９４】
これら表示領域外周付近のスペーサ数の増減の原因は、図１、図５２及び図５３に示すように、スペーサの帯電極性と同極性の電圧をパターン状の透明電極に印加して、スペーサを透明電極間隙に配置させようとする場合、落下中のスペーサを表示領域内から表示領域外に反発させようとする力（斥力）が働き、特に、表示領域の外周付近においては、表示領域の外側の基板上に斥力が存在しないために、表示領域外周部に配置されるべきスペーサが外側に逃げてしまうか、又は、表示領域の外側の領域が広い場合には、表示領域の外側の領域に集中的にスペーサが散布されることにある。
【０１９５】
これらの現象を防止するため、第五の本発明においては、図５４に示すように、正極性又は負極性に帯電したスペーサを基板上に散布するに際し、アースされた導電性ステージに基板を密着させて設置し、基板上の透明電極にスペーサの帯電極性と同極性の電圧を印加し、導電性ステージとは電気的に絶縁された状態の導電体を表示領域外に設け、透明電極に印加した電圧の極性と同極性の電圧を導電体に印加して、基板外にも基板内と略同一の電場を形成することにより、基板上に斥力の働く範囲が広まり、スペーサの増減は基板外の部分で吸収されてしまうため、表示領域は均一なスペーサ数となる。
【０１９６】
アースされた導電性ステージ、基板上に形成された透明電極にスペーサの帯電極性と同極性の電圧を印加する方法、導電体の材質、導電体の形状、導電性ステージと導電体との絶縁方法、基板への電圧印加方法、基板上の透明電極及び導電枠に印加される電圧値及び導電枠の形成方法としては、第四の本発明おいて説明したのと同様である。
【０１９７】
上記導電枠に印加する電圧は、透明電極に印加する電圧と略同一か、又は、高いのが好ましい。透明電極よりも導電枠に印加する電圧が低いと、基板外周部のスペーサの減少が防止できない。
上記導電枠と透明電極とに異なる電圧を印加する場合は、それぞれ別の電圧供給装置からの端子を接続すればよい。
【０１９８】
具体的な第五の本発明の液晶表示装置の製造方法について、図５５〜６０を用いて説明する。
図５５は、第五の本発明の液晶表示装置の製造方法における基板と導電枠との関係を説明するための平面図及び断面概念図である。第五の本発明における導電体は、図５５に示すように、最外形寸法が基板よりも大きいものであって、表示領域よりも大きく、かつ、基板寸法以下に開口部が形成された導電枠であり、導電枠が基板外周部と重なる状態で、又は、重ならない状態で設置され、透明電極に印加した電圧の極性と同極性の電圧を導電枠に印加するのが好ましい。
【０１９９】
上記導電性ステージと導電枠とは、別々に形成してもよいが、図５６に示すように、絶縁体の同一平板上に導電性ステージと導電枠部分とを区画して形成してもよい。
上記導電枠を形成する位置としては特に限定されず、例えば、基板面より上、基板面と同一、導電性ステージ面と同一、導電性ステージ面より下等が挙げられる。
【０２００】
図５５中（１）に示すように、導電枠の開口部が上記基板の大きさより小さく、導電枠が基板上に位置する場合、図５５中（２）に示すように、導電枠の開口部が基板の大きさと一致し、導電枠上面が基板面と一致している場合等では、導電枠が基板及び導電性ステージより大きければ特に問題はなく、導電性ステージと導電枠との絶縁性が確保されていればよい。
【０２０１】
上記導電枠の開口部が基板の大きさより小さく、導電枠が基板上に位置する場合では、導電枠自身がマスクの役割をするので、基板端部の透明電極の存在しない領域にスペーサが集中して配置されることはない。
【０２０２】
しかし、導電枠の開口部が基板の大きさと一致し、導電枠上面が基板面と一致している場合では、透明電極の存在しない基板端部領域上では斥力が働かないことになるので、基板端部領域にスペーサが局所的に集中して配置されることがある。また、導電枠が導電性ステージより小さいと、はみ出ている導電性ステージ部分にスペーサが局所的に集中して配置されることがある。
【０２０３】
上記スペーサの局所的な集中は、スペーサが表示領域外周部から集中部に逃げていることになり、表示領域外周部のスペーサ数を減少させる原因となることから、結果的に液晶表示装置のセル厚の不均一を引き起こす可能性がある。
【０２０４】
上記導電枠が基板上に位置する場合では、基板は導電性ステージと全面接触が可能である。また、導電性ステージの大きさとしては特に限定されず、例えば、基板より大きくても、小さくてもよい。
【０２０５】
上記スペーサの配置は、基板が導電性ステージに密着されることにより、透明電極間の電位が下がり、配置に適する電場が形成される。従って、基板下（裏）側に導電枠を設置する場合には、基板下（裏）面に導電枠が接することになるので、その部分の基板の電位が上昇するため、スペーサの配置性が悪くなる場合がある。
【０２０６】
上記導電性ステージは、基板寸法以下で、分断ラインの外側の領域には達する大きさであり、導電枠上面は、図５５中（３）に示すように、導電性ステージ面と略同一面であるか、又は、図５５中（４）に示すように、導電性ステージより低い位置で設置されるのが好ましい。
【０２０７】
上記分断ラインは、第一の基板と第二の基板を貼り合わせた後、基板を切断する際に基準となるラインである。
上記分断ラインの外側の領域は、基板上の表示領域外にダミー電極を設ける場合には、図５９に示すように、ダミー電極領域である。
【０２０８】
図５５中（３）に示すように、導電枠上面が、導電性ステージ面と略同一面で設置されることにより、基板が導電枠と接するか、又は、図５５中（４）に示すように、導電性ステージより低い位置で設置されることにより、基板端部が浮いた状態となる。
【０２０９】
上記導電枠がこれらの位置に設置されることにより、基板全体で均一にスペーサが配置され、透明電極が存在しない基板端部でも、下からの導電枠による電場の影響でスペーサの局所的な集中配置を防げることができる。
【０２１０】
上記導電性ステージは、図５７で示すように、基板寸法以下で、分断ラインの外側の領域には達する大きさであり、導電枠は、分断ラインの外側の領域から基板外に形成され、分断ラインの外側の領域内での導電性ステージと導電枠との占有面積が、［導電性ステージの占有面積］＞［導電枠の占有面積］であるのが好ましい。
このとき、導電枠は、基板と接するように配置されてもよく、基板と接しないように配置されてもよい。
【０２１１】
図５９は、第五の本発明の液晶表示装置の製造方法におけるブラックマトリックスの額縁状態を説明するための平面及び断面概念図である。第一の基板及び第一の基板の上に対向配置される第二の基板のうち少なくとも一方の基板は、液晶表示装置用カラーフィルタ基板であり、図５９で示すように、ブラックマトリックスが形成されている。上記ブラックマトリックスは表示領域内で格子状に画素を区画している。
【０２１２】
また、上記ブラックマトリックスは、表示領域を額縁状に現している。その額縁状態はブラックマトリックスの存在しない領域により形成されているが、その外側のダミー電極部分にも、ベタ状のマスクとしてブラックマトリックスが残されている場合もある。その場合、ブラックマトリックスの位置と透明電極からなる領域は、ほぼ一致している。
【０２１３】
上記ブラックマトリックスを形成する材料として、クロムが多く用いられている（このようなブラックマトリックスを導電性ブラックマトリックスともいう）。このような構成の液晶表示装置用カラーフィルタ基板においては、クロムからなるブラックマトリックスが形成されている領域よりも小さな導電性ステージを用いても、アースされた導電性ステージの効果はブラックマトリックス全体の領域に及び、ブラックマトリックスの電位が下がるため、ブラックマトリックスの領域が導電性ステージの効果を担うことができる。
従って、導電性ステージが基板よりも小さくても、ブラックマトリックスが存在する領域は、スペーサを配置するのに適する電場が形成される。
【０２１４】
上記基板上において、ブラックマトリックスの額縁状態を形成するために、ブラックマトリックスのない領域をつくると、表示領域とその外側のダミー電極領域とにあるブラックマトリックスが分断されるため、表示領域内とダミー電極領域内とで導電性ステージのアースした効果が変化することになる。
【０２１５】
従って、導電性ステージの大きさは、ブラックマトリックスの額縁部、ブラックマトリックスのない領域及びダミー電極領域をまたぐ必要がある。これにより、基板内全体のスペーサの配置状態が均一なものとなる。
【０２１６】
図５５中（３）で示すように、導電性ステージと略同一面で導電枠を形成する場合、基板を導電枠上にセットすると、基板が導電性ステージ上面と導電枠上面との両方の面に接することになる。
【０２１７】
この場合、基板外周部下（裏）には、局所的にアース電位と導電枠からの電位を受けることになる。特に、この近辺は、表示領域にあるブラックマトリックスとダミー電極領域にあるブラックマトリックスとが分断されているため、分断されている外の領域は、表示領域とは異なる単独の影響を受ける。
【０２１８】
従って、この場合は、この分断されているダミー電極領域がアース電位に近くなるようにしなければならない。そのためには、図５７で示すように、ダミー電極領域内での導電性ステージと導電枠との占有面積が、［導電性ステージの占有面積］＞［導電枠の占有面積］とする必要がある。
【０２１９】
上記ダミー電極領域内での導電性ステージと導電枠との占有面積が、［導電性ステージの占有面積］＜［導電枠の占有面積］となってしまうと、この領域の透明電極間隙の電位が上昇してしまうため、スペーサの配置が行われにくくなる。
【０２２０】
上記導電性ステージは、図５８で示すように、基板寸法以下で、分断ラインの外側の領域には達する大きさであり、導電枠は、分断ラインの外側の領域と重なりをもたない状態で透明電極の外側に形成されるのが好ましい。
【０２２１】
つまり、導電枠がダミー電極領域に入り込まない位置に形成されるようにすればよい。この位置では、導電枠の電位が、ブラックマトリックスに影響を及ぼすことはなく、基板外周端部にスペーサが局所的に集中することもない。
【０２２２】
一方、これまでの導電性ステージと導電枠との位置関係において、導電性ステージよりも導電枠が低い位置に存在する場合には、図５５中（４）で示すように、分断ラインの外側の領域は導電枠と直接接することはない。
この場合、基板端部がアースされていないので、その部分は電位上昇が起こり、基板端部へのスペーサの局所的な集中も起こらない。
【０２２３】
上記ブラックマトリックスの材料は、クロム以外に、樹脂に顔料等を分散した組成物により形成される場合がある。該組成物の場合には、導電性が低いため、クロムの場合のような導電性ステージと同様な効果を示さない場合がある。
【０２２４】
このような場合で、基板の下に導電枠を設置する場合には、図６０で示すように、導電性ステージの寸法を透明電極が存在する領域とほぼ一致させ、導電枠の端部位置を透明電極の存在しない領域で形成するのが好ましい。
【０２２５】
これにより、透明電極からなる領域は、導電性ステージを存在させ、スペーサの配置に適する電場を形成する。一方、透明電極の存在しない領域は、導電枠に接するようにするか、又は、導電性ステージを存在させないようにすることで、基板端部の電位降下をさせないようにして、スペーサが局所的に集中して散布されるのを防ぐことができる。
【０２２６】
以上のように、透明電極に電圧を印加して、帯電したスペーサを電極間隙に配置させることによる第五の本発明の液晶表示装置の製造方法を行う場合に、表示領域外の領域上に類似の電場を形成することにより、スペーサを基板全体にわたり配置することができるので、これにより得られる液晶表示装置は、セル厚が均一で、表示ムラのない高品質の表示性能を有するものとすることが可能となる。
【０２２７】
第六の本発明は、少なくともパターン状の透明電極及び配向膜から構成され、１つ又は２つ以上の表示領域を有する第一の基板及び第一の基板の上に対向配置される第二の基板のうち少なくとも一方の基板にスペーサを散布し、両基板の間隙に液晶を注入してなる液晶表示装置の製造方法であって、正極性又は負極性に帯電したスペーサを基板上に散布するに際し、基板寸法より小さい寸法のアースされた導電性ステージに基板を密着させて設置して、基板外周端部が導電性ステージから浮いた状態とし、かつ、基板上の透明電極にスペーサの帯電極性と同極性の電圧を印加する液晶表示装置の製造方法である。
【０２２８】
上記透明電極、基板、スペーサ及びスペーサの帯電方法としては特に限定されず、第一の本発明において説明したのと同様である。また、第二の本発明において説明したのと同様に、第五の本発明の液晶表示装置の製造方法をＴＦＴ型液晶表示装置の製造方法に適用することができる。
【０２２９】
第六の本発明においては、スペーサ散布時に、単に、透明電極にスペーサの帯電極性と同極性の電圧を印加するのみでは、第五の本発明において詳述したのと同様に、表示領域外周付近のスペーサ数が増減する現象が見られ、第一及び第二の本発明において説明したのと同様に、液晶表示装置を製造するときに、スペーサの歪みが変化し、セル厚が変化して、液晶表示装置の表示が不均一となる。
【０２３０】
また、図６１に示すように、基板内は、透明電極にスペーサの帯電極性と同極性の電圧が印加されているため、表示領域上にはスペーサに対して斥力が働き、一方、導電性ステージはアース電位のため、帯電しているスペーサに対して引力が働くことから、基板外周部には、基板内からの斥力と導電性ステージからの引力とが働き、その両方の効果により、スペーサが基板内より逃げようとする。
【０２３１】
これらの現象を防止するため、第六の本発明においては、図６２に示すように、正極性又は負極性に帯電したスペーサを基板上に散布するに際し、基板寸法より小さい寸法のアースされた導電性ステージに基板を密着させて設置して、基板外周端部が導電性ステージから浮いた状態とし、基板上の透明電極にスペーサの帯電極性と同極性の電圧を印加することにより、基板端部は導電性ステージからのアースの効果が弱まり、むしろ、透明電極の電位に引きずられる傾向にあることから、導電性ステージが基板寸法より大きい場合に比較して、基板外周部に配置されるスペーサの数の減少を防止することができる。
【０２３２】
アースされた導電性ステージ、基板上に形成された透明電極にスペーサの帯電極性と同極性の電圧を印加する方法、導電体の材質、導電体の形状、導電性ステージと導電体との絶縁方法、基板への電圧印加方法、基板上の透明電極及び導電枠に印加される電圧値及び導電枠の形成方法としては、第四の本発明において説明したのと同様である。
上記基板外周端部が導電性ステージから浮いた状態とは、図６２に示すように、基板が導電性ステージからはみ出した状態のことである。
【０２３３】
具体的な第六の本発明の液晶表示装置の製造方法について説明する。
上記スペーサが散布される基板は、第五の本発明と同様に、ブラックマトリックスが形成されたものであってもよく、該ブラックマトリックスが絶縁性のものでも、導電性のものでも上述したのと同様の効果を得ることができる。
【０２３４】
また、上記ブラックマトリックスは、導電性のものであり、導電性ステージは、基板の各表示領域のブラックマトリックスの額縁外周部よりも小さい寸法の１つ又は２つ以上のものであるのが好ましい。この場合には、基板外周部に配置されるスペーサの数の減少をより防止することができる。
【０２３５】
第五の本発明において詳述したような構成の液晶表示装置用カラーフィルタ基板では、導電性ブラックマトリックスが形成されている領域よりも小さな導電性ステージを用いても、アースされた導電性ステージの効果は導電性ブラックマトリックス全体の領域に及び、導電性ブラックマトリックスの電位が下がるため、導電性ブラックマトリックスの領域が導電性ステージの効果を担うことができる。
従って、導電性ステージが基板よりも小さくても、導電性ブラックマトリックスが存在する領域は、スペーサを配置するのに適する電場が形成される。
【０２３６】
このとき、導電性ブラックマトリックスの額縁外の領域はアースされていないため、基板のガラス部の電位が透明電極に印加した電圧に引きずられ、その電位が透明電極の電位に近づく方向に上昇する。導電性ブラックマトリックスの額縁外の領域がアースされていない状態とは、例えば、導電性ブラックマトリックスがあっても分断ラインにより切れている場合、導電性ブラックマトリックスの額縁外に導電性ブラックマトリックスが存在しない場合等が挙げられる。
この状態で表示領域内と表示領域外の電位を比較すると、表示領域内は、透明電極に印加した高い電圧による高い電位と、透明電極間の低い電位とが存在することになる。
【０２３７】
一方、上記表示領域外は、図６３に示すように、ダミー電極を形成すると、ダミー電極及び基板のガラス部ともに高い電位となる。そのため基板全体で見ると、表示領域外に高い電位の領域が形成され、表示領域内に低い電位の領域が形成されることになる。
【０２３８】
従って、表示領域外の高い電位の領域が斥力の壁となり、表示領域内のスペーサが表示領域外へ逃げるのを防止することになる。これにより、表示領域内のスペーサ数は均一となるため、セル厚も均一化され、液晶表示装置は均一な表示性能を有することになる。
【０２３９】
スペーサが散布される基板が多数の表示領域の形成された多面取りである場合でも、ブラックマトリックスが導電性の場合には、各表示領域のブラックマトリックスの額縁外周部よりも内側になる大きさの複数の導電性ステージを設けることにより、全ての表示領域に対して、上述したのと同様の効果を得ることができる。
この場合、複数の表示領域に対応して、分割された複数の導電性ステージを設置してもよいし、一つの導電性ステージに溝を形成して、複数の導電性ステージを設置してもよい。
【０２４０】
上記導電性ステージと基板との接触面積は、表示領域面積の３０％以上であるのが好ましい。
上述したように導電性ブラックマトリックスが形成されている場合、その領域よりも小さな導電性ステージを設置するときでも、導電性ブラックマトリックスが導電性ステージの効果を担うため、表示領域は、スペーサの配置に適する電場が形成される。
【０２４１】
しかしながら、導電性ステージと表示領域（ブラックマトリックスの領域）との接触面積が小さすぎると、アースの効果が薄れてしまう。従って、表示領域にスペーサの配置に適する電場を形成する為には、導電性ステージと基板との接触面積が、基板上の表示領域面積の３０％以上であるのが好ましい。３０％未満であると、アースの効果が薄れ、スペーサの配置に適する電場が崩れて、スペーサの表示領域外周部への配置を行いにくくなる。
【０２４２】
第七の本発明は、帯電した微粒子を複数の電極を有する基板上に選択的に配置させる微粒子散布装置であって、帯電した微粒子を基板上に散布するためのノズルと、帯電した微粒子が散布される基板を設置して保持する位置が固定された導電性ステージと、基板を導電性ステージから着脱するための複数個の押上げピンと、導電性ステージに設置された基板上の複数の電極に、帯電した微粒子と同極性の電圧を印加するプローブと、導電性ステージとは電気的に絶縁された状態の導電体とからなり、該導電体は、導電性ステージに設置された基板の上面に配置され、帯電した微粒子と同極性の電圧が印加され、基板寸法以下に開口部が形成された導電枠である微粒子散布装置である。
上記透明電極、基板、微粒子及び微粒子の帯電方法としては、第一の本発明において説明したのと同様である。
【０２４３】
アースされた導電性ステージ、基板上に形成された透明電極にスペーサの帯電極性と同極性の電圧を印加する方法、導電体の材質、導電体の形状、導電性ステージと導電体との絶縁方法、基板への電圧印加方法、基板上の透明電極及び導電枠に印加される電圧値及び導電枠の形成方法としては、第四の本発明おいて説明したのと同様である。
【０２４４】
第七の本発明の微粒子散布装置は、液晶表示装置の製造方法に適用することができ、その場合、上記微粒子としては、第一の本発明において説明したスペーサが用いられる。
ここで、プローブと導電体とが連動して上下動することが好ましい。また、プローブと導電体とが一体となって上下動することが好ましい。更に、プローブ、導電体及び押上げピンは、単一の駆動源によって連動して駆動されることが好ましい。
そして、複数の電極及び導電体に同一電圧を同時に印加することが好ましい。
【０２４５】
具体的な第七の本発明の微粒子散布装置について、液晶表示装置の製造方法に適用する場合について、図６４〜６８を用いて説明する。
図６４は第七の本発明の微粒子散布装置の一例を示す概略断面図、図６５は図６４において基板の供給搬出時における説明図、図６６は図６４の要部の拡大説明図、図６７は基板と導電枠との関係を示す平面説明図である。
【０２４６】
図６４に示すように、微粒子散布装置は、基板上に散布される微粒子であるスペーサを、空気流とともに供給する微粒子タンク１１ｂと、この微粒子タンク１１ｂによって供給されたスペーサを空気流によって搬送し、途中で管の内壁と接触することによってスペーサを帯電させる配管１７と、基板上にスペーサを散布する容器１０とからなっており、容器１０の下部には、後述する導電枠、プローブ、押上げピン等を上下方向に駆動する駆動機構３１を、側面には、スペーサが散布される基板を容器１０内に供給し、スペーサが散布された基板を容器１０内から取り出すロボット装置３２を有している。
【０２４７】
容器１０には、上部に微粒子タンク１１ｂから配管１７を通って供給された帯電したスペーサを、揺動することによって所定の散布範囲３３に均一に散布するノズル１１ａが配置されており、下部には液晶表示装置の基板１を設置して保持する導電性ステージ１５が配置されている。この導電性ステージ１５は、容器１０に対して固定された位置に配置されており、その上面に設置して保持された基板１上にノズル１１ａから散布されたスペーサが落下して配置されるものである。
【０２４８】
導電性ステージ１５は、基板１を設置して保持するようになっており、この基板１の上方には、基板１の上面に重ねて設置される導電枠３４が上下動可能に配置されている。この導電枠３４は、薄い板状の導電体又は表面に導電体がコーティングされたものであって、ノズル１１ａによるスペーサの散布範囲３３より充分に大きく、かつ、図６７に示すように、液晶表示装置の表示部となる基板１の透明電極３からなる表示電極領域が露出するように、基板１の表示領域より大きく、更に、基板１よりも小さな開口部３４ａを有している。
【０２４９】
なお、この開口部３４ａは、基盤１等によって形成される液晶表示装置の表示領域よりも大きく、表示電極３からなる表示電極領域よりも外部に形成される帯電防止等の作用をなすダミー電極領域よりも小さいのが好ましい。
【０２５０】
また、導電枠３４の上方には、導電枠３４に連動して上下動可能で、先端を基板１の透明電極３（好ましくはダミー電極）に押圧して透明電極３に電圧を印加するプローブ３５が設けられている。このプローブ３５は、導電枠３４とともに電圧印加装置１２（図６４参照）に接続されており、基板１の透明電極３及び導電枠３４に所定の電圧を印加し、かつ、帯電したスペーサと同極性の電圧を印加するためのものである。
【０２５１】
ここで、このプローブ３５は、基板１上の透明電極３に安定して接触するように、図示しないばねによって下方向に付勢されていることが好ましい。ばねによって下方向に付勢されているときには、図６６に示すように、導電枠３４に固定してもよく、又は、導電枠３４と基板１上の透明電極３とに同じ電圧を印加するときには、プローブ３５として導電枠３４の下面に設けられた基板１上の透明電極３との通電部（図示しない）を設けてもよい。
【０２５２】
導電性ステージ１５の上面に設置して保持される基板１を供給又は搬出するときには、図６５に示すように、基板１を押し上げてロボット装置３２のアーム３２ａを挿入可能にするための複数個の押上げピン３６が、導電性ステージ１５を貫通して設けられている。
【０２５３】
これらの押上げピン３６は、基板１を押し上げてロボット装置３２のアーム３２ａを挿入可能にするとともに、ノズル１１ａによるスペーサの散布時に印加された電圧によって、静電的に吸着されて密着した基板１と導電性ステージ１５とを基板外周部から空気を導入しながら剥離するもので、基板外周部から空気を導入しやすくするために、基板外周部の押上げピンをやや長くして中央部の押上げピンをやや短くすることが好ましい。
【０２５４】
また、導電性ステージ１５から基板１を容易に剥離させるために、導電性ステージ１５に空気穴（図示しない）を設け、ここから導電性ステージ１５と基板１との間に空気を供給することも可能である。この場合には、基板外周部の押上げピン３６の長さを長くする必要はない。
【０２５５】
また、このような空気穴を設けるときには、基板１を導電性ステージ１５の上面に設置して保持する際に真空で引いて基板１と導電性ステージ１５とを密着させ、押上げピン３６で基板１を押し上げる際に空気を吹き込んで基板１を容易に剥離させることもできる。
【０２５６】
押上げピン３６及び導電枠３４は、単一の駆動機構３１に接続されている。第七の本発明の実施形態では、この駆動機構３１は、導電性ステージ１５の下方に配置された平板状のものであって、この平板状の駆動機構３１を図示しない駆動源によって上下動することによって押上げピン３６及び導電枠３４が上下動する。
【０２５７】
基板１を供給又は搬出する際には、図６５に示すように、最初に導電枠３４を上昇させて押上げピン３６を上昇可能にし、次いで押上げピン３６を上昇させて基板１を導電性ステージ１５から剥離して持ち上げなければならない。
【０２５８】
このため、第七の本発明の実施形態では、図６６に示すように、駆動機構３１の下降位置では基板１と押上げピン３６との間に隙間Ａを設け、駆動機構３１の上昇に際して、最初は導電枠３４のみが上昇し、導電枠３４が隙間Ａだけ上昇した後に押上げピン３６が上昇して基板１を導電性ステージ１５から剥離して持ち上げるように構成されている。
【０２５９】
このようにして、駆動機構３１の上昇位置で、隙間Ａだけ基板１と導電枠３４との間に隙間を設けることによって、ロボット装置３２によって基板１を供給及び搬出する際に、基板１と押上げピン３６とが接触しないようにアーム３２ａをわずかに上昇させる隙間が確保される。
【０２６０】
図６７に押上げピン３６と導電枠３４の押上軸３４ｂ及びロボット装置３２のアーム３２ａの具体的な配置の例を示す。図６７に示すように、押上げピン３６は、導電性ステージ１５から基板１を剥離する際に基板１が破損しないように多数設けることが好ましい。
【０２６１】
また、導電枠３４の押上軸３４ｂは、基板１又は導電性ステージ１５と干渉しないように、その周囲に配置することが望ましい。図６７の左側に想像線で描かれているのは、ロボット装置３２のアーム３２ａであり、押上げピン３６や導電枠３４の押上軸３４ｂと干渉しないように複数個に枝分かれしたアーム３２ａに、基板１を吸着して保持する吸着カップ３２ｂが設けられている。
【０２６２】
図６８は、導電枠３４と基板１の透明電極３とに電圧を印加したときの等電位を示す線３７を描いた説明図である。図６８に示すように、導電枠３４と透明電極３との位置では電位が高く、電極の隙間（電極間隙）すなわち透明電極間隙及び導電枠３４と透明電極３との隙間で電位が低くなっている。
【０２６３】
ノズル１１ａから散布されたスペーサは、導電枠３４及び透明電極部３に印加された電圧の極性と同極性に帯電しているので、基板上の電場による斥力によって反発しながら落下し、電位が低くなっている位置に移動して電極の隙間すなわち透明電極間隙及び導電枠３４と透明電極３との隙間に集中的に落下する。
【０２６４】
そして、導電枠３４の外側は、スペーサの散布範囲３３から大きく外れているので、斥力による反発があっても導電枠３４の外側にスペーサが落下することはなく、ノズル１１ａから散布されたスペーサは、透明電極間隙及び導電枠３４と透明電極３との隙間にのみ落下する。
【０２６５】
導電枠３４と透明電極３とに印加される電圧は、透明電極間隙及び導電枠３４と透明電極３との隙間にスペーサが適正な比率で落下するように選択すればよいが、同じ電圧とし、透明電極３の隙間の幅及び導電枠３４と透明電極３との隙間の幅を、スペーサが適正な比率で落下するように選択することによって、基板１の透明電極３及び導電枠３４に電圧を徐々に印加し、又は、除去する際に、同じ電圧を同時に印加し、又は、除去して電源装置１２における電圧の制御を容易にすることができる。
以上のように、第七の本発明の実施形態について説明したが、第七の本発明はこれらの実施形態に限定されるのではなく、第七の本発明の要旨を逸脱しない範囲において、各種の改良や変更を行ってよいのはもちろんである。
【０２６６】
第八の本発明は、第一の本発明の微粒子散布方法によって製造されてなる液晶表示装置である。
第九の本発明は、第二又は第三の本発明の液晶表示装置の製造方法によって製造されてなる液晶表示装置である。
第十の本発明は、第四、第五又は第六の本発明の液晶表示装置の製造方法により、第七の本発明の微粒子散布装置を用いて製造されてなる液晶表示装置である。
第八、第九及び第十の本発明の液晶表示装置は、セル厚が均一で、表示ムラのない高品質の表示性能を有するものである。
【発明の効果】
【０２６７】
本発明の微粒子散布方法は、上述の通りであるので、所望の位置に所定量の微粒子を配置することができ、液晶表示装置において、電極間にスペーサを配置することができ、開口率を犠牲にすることなく、更に、表示領域外の電極にも電圧を印加することにより、表示電極領域端部の電極間にも適切にスペーサを配置することが可能になる。
【０２６８】
本発明の液晶表示装置の製造方法は、上述の通りであるので、透明電極に電圧を印加して、帯電したスペーサを電極間隙に配置させることによる液晶表示装置の製造方法を行う場合に、ＳＴＮ型液晶表示装置のようなストライプ状透明電極であっても、隣接する透明電極間のうち、所定の透明電極間、すなわち、ブラックマトリックス部分にのみスペーサを選択的に配置することができ、表示領域の端部近傍においても表示領域の中央部と同様にスペーサの配置密度を制御することができることにより、表示領域内のスペーサの配置密度を均一にし、開口率を犠牲にすることなく、スペーサからの光漏れを防止してコントラストを向上させた液晶表示装置を提供することが可能になる。
【０２６９】
また、スペーサを基板全体にわたり配置することができるので、これにより得られる液晶表示装置は、セル厚が均一で、表示ムラのない高品質の表示性能を有するものとすることが可能となり、しかも、表示領域の外側にスペーサの散布範囲より充分に広いダミー電極を設ける必要がなく、電極以外の所定の場所にスペーサを散布することができる。
更に、本発明の液晶表示装置は、上述の構成よりなるので、セル厚が均一で、表示ムラのない高品質の表示性能を有するものである。
【発明を実施するための最良の形態】
【０２７０】
以下に実施例を掲げて本発明を更に詳しく説明するが、本発明はこれら実施例のみに限定されるものではない。
【０２７１】
実施例１
外形寸法が３７０×４８０ｍｍで厚さが０．７ｍｍのソーダガラスからなる一対の絶縁性基板として、一方の絶緑性基板１には、遮光膜であるブラックマトリックス５を形成したＲＧＢからなるカラーフィルタ４、及び、カラーフィルタ４を保護するオーバーコート６を形成した。オーバーコート６上には、ＩＴＯからなるストライプ状の表示電極３を形成し、更にポリイミド樹脂からなる配向膜９を形成し、配向処理を施した後、シール材２４をスクリーン印刷法によって塗布した。このシール材２４には、シール内スペーサ２５となるガラスビーズを混入した。
【０２７２】
他方の絶縁性基板１には、図５及び図６９に示すように、厚さ３００ｎｍのＩＴＯ電極からなる幅２８５μｍのストライプ状の表示電極３を間隔１５μｍで形成し、表示電極３に電圧を印加するための補助電極２０を形成し、補助電極２０のない辺にダミー電極２１を形成し、更に絶縁膜２３及びポリイミド樹脂からなる配向膜９を形成した。尚、絶縁膜２３は、形成しなくても差し支えない場合もある。
【０２７３】
ここで、ダミー電極２１は、それぞれ導電材により電気的に接続されている（給電部を少なくする効果がある）。また、図６９において、ダミー電極２１を有効表示領域の上下右辺にのみ配置しているが、これは、左方向の有効表示領域外には表示電極への給電用補助電極２０があり、これがダミー電極２１と同じ効果を生むためである。
【０２７４】
そして、他方の絶縁性基板１上には、スペーサとして、合成樹脂微粒子であるＢＢＳ−６０５１０−ＰＨ（積水フアインケミカル社製）を用いて、負極性に帯電させて散布を行った。このとき、図５において、表示電極３とダミー電極２１に、それぞれ−２ｋＶを印加した。
その結果、表示電極３間にのみスペーサ８を配置することができ、ダミー電極２１を設けないときに比ベてスペーサ８の電極間への選択配置性が向上していた。
【０２７５】
次に、これらの一対の絶縁性基板１を貼り合わせ、１８０℃、０．８ｋｇ／ｃｍ２で加熱加圧し、１５０℃でアフターベーク処理を行った後、不要な部分を切り離すために分断を行った。このとき、補助電極２０及びダミー電極２１を分断除去した。その後、液晶７を注入して、一対の絶縁性基板が貼り合わされた液晶表示装置（図７０に示す）を作製した。
【０２７６】
実施例２
外形寸法が３７０×４８０ｍｍで厚さが０．７ｍｍのソーダガラスからなる一対の絶縁性基板として、一方の絶縁性基板１には、遮光膜であるブラックマトリックス５を形成したＲＧＢからなるカラーフィルタ４、及び、カラーフィルタ４を保護するオーバーコート６を形成した。オーバーコート６上には、ＩＴＯからなるストライプ状の表示電極３を形成し、更にポリイミド樹脂からなる配向膜９を形成し、配向処理を施した後、シール材２４をスクリーン印刷法によって塗布した。このシール材２４には、シール内スペーサ２５となるガラスビーズを混入した。
【０２７７】
他方の絶縁性基板１には、図１１及び図１３〜１６に示すように、厚さ３００ｎｍのＩＴＯ電極からなる幅２８５μｍのストライプ状の表示電極３ａ及び３ｂを間隔１５μｍで形成し、補助電極２０ａ及び２０ｂ並びに付設電極２９を形成し、更に絶縁膜２３及びポリイミド樹脂からなる配向膜９を形成した。尚、絶縁膜２３は、形成しなくても差し支えない場合もある。
【０２７８】
そして、他方の絶縁性基板１上には、スペーサとして、合成樹脂微粒子であるＢＢＳ−６０５１０−ＰＨ（積水フアインケミカル社製）を用いて、負極性に帯電させて散布を行った。このとき、図１１及び図１３〜１６において、表示電極３ａに−５００Ｖ、表示電極３ｂに−７００Ｖを印加し、表示電極３ａと３ｂとの電位差を２００Ｖとした。このとき、付設電極２９には、表示電極３ｂと同じ−７００Ｖを印加した。
【０２７９】
その結果、表示電極３ａ間にのみスペーサ８を配置することができ、表示領域３０の端部近傍の表示電極３ａ間も含めて、表示電極３ａ間に配置するスペーサ８を表示領域３０内で均一にすることができた。
更に、表示電極３ａ間の中央部にスペーサ８を集中的に配置することができ、表示電極３ａのエッジ部にスペーサ８が配置されてしまう確率を小さくすることができた。
【０２８０】
次に、これらの一対の絶縁性基板１を貼り合わせ、１８０℃、０．８ｋｇ／ｃｍ２で加熱加圧し、１５０℃でアフターベーク処理を行った後、不要な部分を切り離すために分断を行った。このとき、補助電極２０ａ及び２０ｂ並びに付設電極２９を分断除去した。その後、液晶７を注入して、一対の絶縁性基板が貼り合わされた液晶表示装置（図７０に示す）を作製した。
【０２８１】
実施例３
他方の絶縁性基板１に、図１１及び図１７〜２０に示すように、表示電極３ａに＋５００Ｖ、表示電極３ｂに＋３００Ｖを印加し、表示電極３ａと３ｂとの電位差を２００Ｖとし、付設電極２９には、表示電極３ａと同じ＋５００Ｖを印加した以外は、実施例２と同様にしてスペーサ８を散布した。
【０２８２】
その結果、表示電極３ａ間にのみスペーサ８を配置することができ、表示領域３０の端部近傍の表示電極３ａ間も含めて、表示電極３ａ間に配置するスペーサ８を表示領域３０内で均一にすることができた。
次に、実施例２と同様にして液晶表示装置を作製した。
【０２８３】
実施例４
他方の絶縁性基板１に、図１２、図１７及び図２１〜２３に示すように、表示電極３ａに＋５０Ｖ、表示電極３ｂに−１５０Ｖを印加し、表示電極３ａと３ｂとの電位差を２００Ｖとし、付設電極２９には、導線１８を接続して−１００Ｖを印加した以外は、実施例２と同様にしてスペーサ８を散布した。
【０２８４】
その結果、表示電極３ａ間にのみスペーサ８を配置することができ、表示領域３０の端部近傍の表示電極３ａ間も含めて、表示電極３ａ間に配置するスペーサ８を表示領域３０内で均一にすることができた。
次に、実施例２と同様にして液晶表示装置を作製した。
【０２８５】
実施例５
他方の絶縁性基板１に、図１２、図１７及び図２４〜２６に示すように、表示電極３ａに＋１５０Ｖ、表示電極３ｂに−５０Ｖを印加し、表示電極３ａと３ｂとの電位差を２００Ｖとし、付設電極２９には、導線１８を接続して＋１００Ｖを印加した以外は、実施例２と同様にしてスペーサ８を散布した。
【０２８６】
その結果、表示電極３ａ間にのみスペーサ８を配置することができ、表示領域３０の端部近傍の表示電極３ａ間も含めて、表示電極３ａ間に配置するスペーサ８を表示領域３０内で均一にすることができた。
次に、実施例２と同様にして液晶表示装置を作製した。
【０２８７】
実施例６
他方の絶縁性基板１に、図２７〜３１に示すように、表示電極３ａに＋５０Ｖ、表示電極３ｂに−１５０Ｖを印加し、表示電極３ａと３ｂとの電位差を２００Ｖとし、付設電極２９には、導線１８を接続して−１００Ｖを印加した以外は、実施例２と同様にしてスペーサ８を散布した。
【０２８８】
その結果、表示電極３ａ間にのみスペーサ８を配置することができ、表示領域３０の端部近傍の表示電極３ａ間も含めて、表示電極３ａ間に配置するスペーサ８を表示領域３０内で均一にすることができた。
次に、実施例２と同様にして液晶表示装置を作製した。
【０２８９】
実施例７
他方の絶縁性基板１に、図３２〜３５に示すように、表示電極３ａ及び付設電極２９ａに−３００Ｖ、表示電極３ｂ及び付設電極２９ｂに−５００Ｖを印加し、表示電極３ａと３ｂとの電位差を２００Ｖとした以外は、実施例２と同様にしてスペーサ８を散布した。
【０２９０】
その結果、表示電極３ａ間にのみスペーサ８を配置することができ、表示領域３０の端部近傍の表示電極３ａ間も含めて、表示電極３ａ間に配置するスペーサ８を表示領域３０内で均一にすることができた。
次に、実施例２と同様にして液晶表示装置を作製した。
【０２９１】
実施例８
他方の絶縁性基板１に、図１１、図１７及び図３６〜３８に示すように、表示電極３ａに＋３００Ｖ、表示電極３ｂに＋５００を印加し、表示電極３ａと３ｂとの電位差を２００Ｖとし、付設電極２９には、表示電極３ｂと同じ＋５００Ｖを印加した以外は、実施例２と同様にしてスペーサ８を散布した。
【０２９２】
その結果、表示電極３ａ間にのみスペーサ８を配置することができ、表示領域３０の端部近傍の表示電極３ａ間も含めて、表示電極３ａ間に配置するスペーサ８を表示領域３０内で均一にすることができた。
【０２９３】
更に、表示電極３ａ間の中央部にスペーサ８を集中的に配置することができ、表示電極３ａのエッジ部にスペーサ８が配置されてしまう確率を小さくすることができた。
次に、実施例２と同様にして液晶表示装置を作製した。
【０２９４】
実施例９
図４５に示したＳＴＮ型液晶表示装置用のコモン電極基板（板厚０．７ｍｍのカラーフィルタ形成基板：ＲＧＢ各画素の開口部８０×２８５μｍ、ブラックマトリックス線幅２０μｍ、ＩＴＯ電極幅２９０μｍ、電極間隔１５μｍ）を準備した（スペーサ配置後は、導通線を切断することにより、従来と同様のコモン電極基板となる）。
この基板に、ポリイミドの配向膜を０．０５μｍ形成し、ラビング処理を施した。
【０２９５】
散布装置として、図７１に示したスペーサ散布装置を用い、散布装置本体下方にはアースされたアルミニウム製の導電性ステージ上に表面抵抗１０7Ωｃｍ以下の帯電防止マットを密着させて敷き、その上に基板を密着させて設置した。また、散布装置本体内には電圧印加装置に接続された２本の電圧印加用の接続端子を設けて、散布装置内に配線を引き込み、基板に形成された透明電極に対して異なる直流電圧を印加することができるようにした。
【０２９６】
スペーサとして、ミクロパールＢＢ−６．８μｍ−ＰＨ（商品名、積水フアインケミカル社製）を準備した。
次いで、電圧印加用端子を接続し、２：１くし形電極の２本側の導通部分（導通線（Ａ））に−２．７ｋＶの電圧を印加し、他方の導通部分（導通線（Ｂ））に−２．８ｋＶの電圧を印加した。
【０２９７】
次いで、−２．７ｋＶの電圧を印加した導通部分（導通線（Ａ））と各ダミー電極とを配線を用いて接続し、同電位となるようにした（図４５において、更に配線を用いて導通線（Ａ）とダミー電極とを導通させた）。
【０２９８】
この状態を保って、スペーサが負極性（−）に帯電するステンレス配管を経由させることにより、スペーサを、圧縮空気で基板上に散布した。このとき、スペーサは負極性に帯電していることをあらかじめ確認した。
【０２９９】
スペーサが散布された基板を光学顕微鏡で観察したところ、スペーサは、−２．７ｋＶの電圧を印加した並んだ２本の電極間隙部のブラックマトリックス部分に基板全体にわたり均一に配置されていた。
【０３００】
比較例１
ダミー電極に電圧を印加しなかったこと以外は、実施例９と同様に操作した。
スペーサが散布された基板を光学顕微鏡で観察したところ、スペーサは、−２．７ｋＶの電圧を印加した並んだ２本の電極間隙部のブラックマトリックス部分に配置していたが、表示領域の最外周から内側１０ｍｍ付近までのスペーサ数が非常に少なくなっていた。
【０３０１】
実施例１０
図４４に示した２：１くし形電極の１本側の導通部分（導通線（Ｂ））とダミー電極とを導通させた基板を使用し、２：１くし形電極の２本側の導通部分（導通線（Ａ））に−２．７ｋＶの電圧を印加し、他方の導通部分（導通線（Ｂ））に−２．８ｋＶの電圧を印加したこと以外は、実施例９と同様に操作した。
【０３０２】
スペーサが散布された基板を光学顕微鏡で観察したところ、スペーサは、−２．７ｋＶの電圧を印加した並んだ２本の電極間隙部のブラックマトリックス部分に基板全体にわたり均一に配置されていた。
【０３０３】
実施例１１
ダミー電極のそれぞれを導通させ、別の電圧印加装置を用いて−２．７５ｋＶの電圧を印加したこと以外は、実施例９と同様に操作した。
スペーサが散布された基板を光学顕微鏡で観察したところ、スペーサは、−２．７ｋＶの電圧を印加した並んだ２本の電極間隙部のブラックマトリックス部分に基板全体にわたり均一に配置されていた。
【０３０４】
実施例１２
基板としてＳＴＮ型液晶表示装置用のコモン電極基板（ガラス厚０．７ｍｍのカラーフィルタ形成基板：ＲＧＢ各画素の開口部は８０×２８０μｍ、金属クロム製ブラックマトリックス線幅３５μｍ、アクリル樹脂製オーバーコート層３．０μｍ、ＩＴＯ電極幅２９０μｍ、電極間隔２５μｍ）を準備した。
この基板に、ポリイミドの配向膜を０．０５μｍ形成し、ラビング処理を施した。
【０３０５】
ＩＴＯ電極は図３のように形成された。
散布装置として、図７１に示したような日清エンジニアリング社製の散布装置を用い、スペーサとして、ミクロパールＢＢ、７．２５μｍ−ＰＨ（商品名、積水フアインケミカル社製）を準備した。
【０３０６】
散布装置内に、図４６のようなアースされたアルミニウム製ステージとアルミニウム製導電枠を設置し、ステージと導電枠とはブチルゴム系の樹脂で絶縁し、図５０に示すように、ＩＴＯ表示電極とダミー電極の両方に電圧印加ができるようにした。プローブは、１本を用いることにより数本の電極を押さえるような大きさのものとした。
【０３０７】
導電枠に電圧印加装置により−２．０ＫＶを印加することにより、ダミー電極とＩＴＯ表示電極にも同じ−２．０ＫＶの電圧を印加した。
この状態を保って、スペーサを基板上に散布した。なお、散布によりスペーサは負極性（−）に帯電していた。
スペーサが散布された基板を光学顕微鏡で観察したところ、スペーサは電極間（ブラックマトリックス部分）に配置され、しかも、表示最外周部にも均一に配置されていた。
【０３０８】
実施例１３
実施例１２において、基板としてダミー電極と表示電極とが導通された図２のような構造のものを用い、ステージと導電枠との構造を図４６とし、導電枠からダミー電極への電圧印加方法を図４９の要領で行ったこと以外は、実施例１２と同様にしてスペーサを散布した。
スペーサが散布された基板を光学顕微鏡で観察したところ、スペーサは電極間（ブラックマトリックス部分）に配置され、しかも、表示最外周部にも均一に配置されていた。
【０３０９】
実施例１４
ステージと導電枠を図４７のような構造とし、図２のような電極構造の基板を用い、電圧印加装置からの端子をダミー電極に接続し、ＩＴＯ表示電極とダミー電極に−２．０ＫＶを印加した。
更に別の電源を使用し、導電枠に−２．７ＫＶの電圧を印加した。この状態を保って、実施例１２の要領でスペーサを散布した。
スペーサが散布された基板を光学顕微鏡で観察したところ、スペーサは電極間（ブラックマトリックス部分）に配置され、しかも、表示最外周部にも均一に配置されていた。
【０３１０】
比較例２
実施例１２において、導電枠を使用せず、直接基板をステージ上に設置し、棒状の電極でＩＴＯ表示電極のみに電圧が印加できるようにし、−２．０ＫＶを印加した。この状態で実施例１２と同様にスペーサを散布した。
スペーサが散布された基板を光学顕微鏡で観察したところ、スペーサは基板中心領域では電極間に配置されていたが、表示最外周部の約３０ｍｍ付近にはスペーサが存在していなかった。
【０３１１】
実施例１５
基板としてＳＴＮ型液晶表示装置用のコモン電極基板（ガラス厚０．７ｍｍのカラーフィルタ形成基板：ＲＧＢ各画素の開口部は８０×２８０μｍ、金属クロム製ブラックマトリックス線幅３５μｍ、アクリル樹脂製オーバーコート層３．０μｍ、ＩＴＯ電極幅２９０μｍ、電極間隔２５μｍ）を準備した。
この基板に、ポリイミドの配向膜を０．０５μｍ形成し、ラビング処理を施した。
【０３１２】
ＩＴＯ電極は図２に示したように形成され、図７２に示したように、ダミー電極に電圧を印加して、基板上のすべてのＩＴＯ電極に電圧が印加されるようにした。
散布装置として、日清エンジニアリング社製のＤＩＳＰＡ−μＲ（商品名）散布装置を用い、図７３に示したように、散布装置内には、塩化ビニル樹脂平板上にクロム箔による区画を設け、中央は導電性ステージとしてアースし、その外周部分に導電枠を形成し、その一部に電圧印加装置の端子を接続して、その端子から電圧の供給が行えるようにした。
【０３１３】
基板、ステージ及び導電枠の位置関係は図５７のような状態とした。つまり、導電性ステージが基板寸法以下で、ダミー電極領域（分断ラインの外側の領域）内には達する大きさであり、導電枠がダミー電極領域内から基板外に形成され、ダミー電極領域内での導電性ステージと導電枠との占有面積が、［導電性ステージ部］＞［導電枠部］であり、更に、基板端部裏が導電枠に接する状態とした。
【０３１４】
スペーサとして、積水フアインケミカル社製、ミクロパールＢＢ−ＰＨ（商品名）；粒子径７．２５μｍを準備した。
次いで、導電枠に電圧印加装置により−２．０ｋＶを印加することにより、ダミー電極及びＩＴＯ電極にも−２．０ｋＶを印加し、この状態を保ってスペーサを基板上に散布した。このとき、スペーサは負極性に帯電していることをあらかじめ確認した。
【０３１５】
スペーサが散布された基板を光学顕微鏡で観察したところ、スペーサは電極の間隙に配置されていた。すなわち、ブラックマトリックス部分に配置されていた。更に、表示領域外周部にもスペーサは均一に配置されていた。
【０３１６】
その後、この基板を用いて、通常の方法で液晶表示装置を完成した。完成した液晶表示装置は、従来の液晶表示装置の製造方法によりスペーサを散布させた場合と異なり、画素部にスペーサが存在しないため、コントラストが高く、基板全体にわたりスペーサが配置されているため、良好な表示均一性の表示性能を有するのものであった。
【０３１７】
実施例１６
導電性ステージ及び導電枠を別々のステンレス板により形成したこと以外は、実施例１５と同様に操作した。なお、導電枠はテフロン製の支持棒で散布装置内に固定し、導電性ステージと導電枠は空気により絶縁状態とした。
【０３１８】
スペーサが散布された基板を光学顕微鏡で観察したところ、スペーサは電極の間隙に配置されていた。すなわち、ブラックマトリックス部分に配置されていた。更に、表示領域外周部にもスペーサは均一に配置されていた。
【０３１９】
その後、この基板を用いて、通常の方法で液晶表示装置を完成した。完成した液晶表示装置は、従来の液晶表示装置の製造方法によりスペーサを散布させた場合と異なり、画素部にスペーサが存在しないため、コントラストが高く、基板全体にわたりスペーサが配置されているため、良好な表示均一性の表示性能を有するものであった。
【０３２０】
実施例１７
基板、ステージ及び導電枠の位置関係は図５８のような状態としたこと以外は、実施例１５と同様に操作した。つまり、導電性ステージが基板寸法以下で、ダミー電極領域（分断ラインの外側の領域）内には達する大きさであり、導電枠がダミー電極と重なりをもたない状態で外側に形成され、更に、基板端部裏が導電枠に接する状態とした。
【０３２１】
スペーサが散布された基板を光学顕微鏡で観察したところ、スペーサは電極の間隙に配置されていた。すなわち、ブラックマトリックス部分に配置されていた。更に、表示領域外周部にもスペーサは均一に配置されていた。
【０３２２】
その後、この基板を用いて、通常の方法で液晶表示装置を完成した。完成した液晶表示装置は、従来の液晶表示装置の製造方法によりスペーサを散布させた場合と異なり、画素部にスペーサが存在しないため、コントラストが高く、基板全体にわたりスペーサが配置されているため、良好な表示均一性の表示性能を有するものであった。
【０３２３】
実施例１８
基板上に形成されたブラックマトリックスを樹脂製とし、基板、ステージ及び導電枠の位置関係は図６０のような状態としたこと以外は、実施例１５と同様に操作した。つまり、導電性ステージの寸法が透明電極の存在する領域とほぼ一致し、導電枠が透明電極の存在しない領域から形成され、更に、基板端部裏が導電枠に接する状態とした。
【０３２４】
スペーサが散布された基板を光学顕微鏡で観察したところ、スペーサは電極の間隙に配置されていた。すなわち、ブラックマトリックス部分に配置されていた。更に、表示領域外周部にもスペーサは均一に配置されていた。
【０３２５】
その後、この基板を用いて、通常の方法で液晶表示装置を完成した。完成した液晶表示装置は、従来の液晶表示装置の製造方法によりスペーサを散布させた場合と異なり、画素部にスペーサが存在しないため、コントラストが高く、基板全体にわたりスペーサが配置されているため、良好な表示均一性の表示性能を有するものであった。
【０３２６】
比較例３
導電性ステージをステンレス製とし、その大きさは同様として、導電枠を取り去って導電枠のない状態としたこと以外は、実施例１６と同様に操作した。
スペーサが散布された基板を光学顕微鏡で観察したところ、スペーサは基板の中心領域では電極の間隙に配置されていたが、表示領域最外周部の約３０ｍｍ付近にはスペーサが存在していなかった。
【０３２７】
その後、この基板を用いて、通常の方法で液晶表示装置を完成した。完成した液晶表示装置は、基板の中心付近ではコントラストが高い表示性能であったが、基板外周部のセル厚が薄くなってしまったため、表示ムラがあった。
【０３２８】
実施例１９
導電枠の設置位置を表示領域内に達する大きさとして、基板端部裏が導電枠に接する状態とし、導電性ステージはそれよりもより小さくしたこと以外は、実施例１５と同様に操作した。
【０３２９】
スペーサが散布された基板を光学顕微鏡で観察したところ、スペーサは電極の間隙にも少々配置されていたが、多くのスペーサは画素上に配置されていた。
その後、この基板を用いて、通常の方法で液晶表示装置を完成した。完成した液晶表示装置は、実施例１５で得られたものよりもコントラストが劣っていた。
【０３３０】
実施例２０
基板としてＳＴＮ型液晶表示装置用のコモン電極基板（ガラス厚０．７ｍｍのカラーフィルタ形成基板：ＲＧＢ各画素の開口部は８０×２８０μｍ、樹脂性ブラックマトリックス線幅３５μｍ、アクリル樹脂製オーバーコート層３．０μｍ、ＩＴＯ電極幅２９０μｍ、電極間隔２５μｍ）を準備した。
【０３３１】
この基板に、ポリイミドの配向膜を０．０５μｍ形成し、ラビング処理を施した。
また、基板は、一枚の基板に２つの表示領域の形成された２面取りの基板を用いた。
ＩＴＯ電極は、基板より約１０ｍｍ内側から図２に示したように形成され、ダミー電極に電圧を印加すると、基板上のすべてのＩＴＯ電極に電圧が印加されるようにした。
【０３３２】
散布装置として、図７４に示したような日清エンジニアリング社製のＤＩＳＰＡ−μＲ（商品名）散布装置を用い、図６２に示したように、導電性ステージは、基板上のＩＴＯ電極領域とほぼ一致させ、基板端部から約１０ｍｍ内側の大きさのものを用いて散布装置内に設置した。
【０３３３】
スペーサとして、積水フアインケミカル社製、ミクロパールＢＢ−ＰＨ（商品名）；粒子径７．２５μｍを準備した。
次いで、直流電源からの端子を基板上のダミー電極に接続して、基板上の全てのＩＴＯ電極に−２．０ｋＶを印加し、この状態を保ってスペーサを基板上に散布した。このとき、スペーサは負極性に帯電していることをあらかじめ確認した。
【０３３４】
スペーサが散布された基板を光学顕微鏡で観察したところ、スペーサは電極の間隙に配置されていた。すなわち、ブラックマトリックス部分に配置されていた。
その後、この基板を用いて、通常の方法で液晶表示装置を完成した。完成した液晶表示装置は、従来の液晶表示装置の製造方法によりスペーサを散布させた場合と異なり、画素部にスペーサが存在しないため、コントラストが高く、表示領域全体にわたりスペーサが配置されているため、良好な表示均一性の表示性能を有するのものであった。
【０３３５】
実施例２１
ブラックマトリックスとして、線幅３５μｍのクロム製ブラックマトリックスを用い、導電性ステージとして、図６３及び図７４に示したように、基板上の２つの表示領域のブラックマトリックスの額縁から５ｍｍ内側に、それぞれ対応するように２つに分割されているものを用いたこと以外は、実施例２０と同様にスペーサの散布を行った。
【０３３６】
スペーサが散布された基板を光学顕微鏡で観察したところ、スペーサは電極の間隙に配置されていた。すなわち、ブラックマトリックス部分に配置されていた。
その後、この基板を用いて、通常の方法で液晶表示装置を完成した。完成した液晶表示装置は、従来の液晶表示装置の製造方法によりスペーサを散布させた場合と異なり、画素部にスペーサが存在しないため、コントラストが高く、表示領域全体にわたりスペーサが配置されているため、良好な表示均一性の表示性能を有するものであった。
【０３３７】
比較例４
導電性ステージとして、基板よりも５０ｍｍ大きなものを用いたこと以外は、実施例２０と同様にスペーサの散布を行った。
スペーサが散布された基板を光学顕微鏡で観察したところ、スペーサは電極の間隙、すなわち、ブラックマトリックス部分に配置されていたが、表示領域外周３０ｍｍ付近には、スペーサがほとんど配置されていなかった。
【０３３８】
その後、この基板を用いて、通常の方法で液晶表示装置を完成した。完成した液晶表示装置は、表示領域中央付近は、コントラストが高く、良好な表示性能を有するものであったが、表示領域外周部は、スペーサが存在しないため、セル厚が小さくなり、表示ムラを有するものであった。
【０３３９】
実施例２２
導電性ステージとして、表示領域の４０％、３０％及び２０％の大きさのものを用いたこと以外は、実施例２１と同様にスペーサの散布を行った。
スペーサが散布された基板を光学顕微鏡で観察し、その後、これらの基板を用いて、通常の方法で液晶表示装置を完成した。
【０３４０】
表示領域の４０％の大きさの導電性ステージを用いた場合には、実施例２１と同様にスペーサは電極の間隙すなわち、ブラックマトリックス部分に配置され、完成した液晶表示装置も画素部にスペーサが存在しないため、コントラストが高く、表示領域全体にわたりスペーサが配置されているため、良好な表示均一性の表示性能を有するのものであった。
【０３４１】
表示領域の３０％の大きさの導電性ステージを用いた場合には、若干画素部にスペーサが配置されていたが、完成した液晶表示装置は、画素部に配置されたスペーサ数が少ないため、コントラストへの影響はほとんどなく、高いコントラストを有するものであった。
表示領域の２０％の大きさの導電性ステージを用いた場合には、表示領域上にほぼランダムにスペーサが配置され、完成した液晶表示装置もコントラストの向上が見られなかった。
【０３４２】
実施例２３
図６４〜６７に示したような微粒子散布装置を用いて、先ず、スペーサが散布される基板１を導電性ステージ１５上に供給した。基板１の供給は、図示しない基板のストック位置からロボット装置３２のアーム３２ａで基板１を取り出すとともに、駆動機構３１が上昇して押上げピン３６と導電枠３４を上昇させ、押上げピン３６と導電枠３４との間に基板１を挿入する隙間を生じさせた。
【０３４３】
次に、容器１０のロボット装置３２に対向する位置に設けられた開口部の蓋１０ａを開いてロボット装置３２のアーム３２ａを挿入し、アーム３２ａがさらに前進して押上げピン３６と導電枠３４との間に基板１を挿入した。続いて、押上げピン３６と導電枠３４が下降して導電性ステージ１５上に基板１を供給して設置し、導電枠３４がさらに下降することによって導電性ステージ１５上に設置して保持した。
【０３４４】
このとき、プローブ３５も導電枠３４とともに下降し、プローブ３５の先端が基板１の透明電極３に接触して導電枠３４と基板１の透明電極３とに電圧を印加する準備が終了した。次に、導電枠３４と基板１の透明電極３とに＋１ｋＶの電圧を徐々に印加した。（急激に高い電圧を印加することは、透明電極３の絶縁を破壊する等のトラブルの原因となることがあるので好ましくない。）
【０３４５】
また、このとき、導電性ステージ１５は、図６４に示したように、アースされており、基板１は絶縁体で形成されているので、基板１と導電性ステージ１５との間に生じる静電気によって基板１は導電性ステージ１５に吸着されて固定された。また、必要に応じて、位置決めピン等を用いて基板１を導電性ステージ１５の所定の位置に位置決めするようにしてもよい。
【０３４６】
そして、ノズル１１ａからスペーサを正極性に帯電させて散布を行った。
その結果、図６８に示したように、透明電極３の間隙及び導電枠３４と透明電極３との隙間にスペーサは集中的に散布された。
【０３４７】
このようにして、電極間隙と導電枠３４と電極３との隙間のみにスペーサが配置された基板１は、再び電圧を徐々に低下して、ロボット装置３２によって完成品のストック位置に搬出された（このときの作動手順は、基板１の供給と逆工程となるのみである）。
【産業上の利用可能性】
【０３４８】
本発明の微粒子散布方法は、上述の通りであるので、所望の位置に所定量の微粒子を配置することができ、液晶表示装置において、電極間にスペーサを配置することができ、開口率を犠牲にすることなく、更に、表示領域外の電極にも電圧を印加することにより、表示電極領域端部の電極間にも適切にスペーサを配置することが可能になる。
【０３４９】
本発明の液晶表示装置の製造方法は、上述の通りであるので、透明電極に電圧を印加して、帯電したスペーサを電極間隙に配置させることによる液晶表示装置の製造方法を行う場合に、ＳＴＮ型液晶表示装置のようなストライプ状透明電極であっても、隣接する透明電極間のうち、所定の透明電極間、すなわち、ブラックマトリックス部分にのみスペーサを選択的に配置することができ、表示領域の端部近傍においても表示領域の中央部と同様にスペーサの配置密度を制御することができることにより、表示領域内のスペーサの配置密度を均一にし、開口率を犠牲にすることなく、スペーサからの光漏れを防止してコントラストを向上させた液晶表示装置を提供することが可能になる。
【０３５０】
また、スペーサを基板全体にわたり配置することができるので、これにより得られる液晶表示装置は、セル厚が均一で、表示ムラのない高品質の表示性能を有するものとすることが可能となり、しかも、表示領域の外側にスペーサの散布範囲より充分に広いダミー電極を設ける必要がなく、電極以外の所定の場所にスペーサを散布することができる。
更に、本発明の液晶表示装置は、上述の構成よりなるので、セル厚が均一で、表示ムラのない高品質の表示性能を有するものである。
【図面の簡単な説明】
【０３５１】
【図１】従来の液晶表示装置の製造方法における基板上の等電位面を説明するための断面概念図である。
【図２】本発明の液晶表示装置の製造方法における基板上に形成された透明電極とダミー電極との関係を上部からみた平面概念図であり、ダミー電極に導通がある場合である。
【図３】本発明の液晶表示装置の製造方法における透明電極とダミー電極との関係を上部からみた平面概念図であり、ダミー電極に導通がない場合である。
【図４】本発明の実施形態で用いるスペーサ散布装置の断面概念図である。
【図５】本発明に係わる電極パターンを示す断面図である。
【図６】本発明に係わるスペーサの配置方法を説明する概念図である。
【図７】本発明の実施形態に係わるスペーサのマクロ的な電場による配置方法を説明する概念図である。
【図８】従来のスペーサのマクロ的な電場による配置方法を説明する概念図である。
【図９】ストライプ状透明電極上に形成された相対的に高い電位（＋（正））の領域と相対的に低い電位（−（負））の領域とを示す概念図であって、ストライプ状透明電極を上方から見た図である。
【図１０】透明電極がスペーサ帯電極性と逆極性に印加された場合の不都合を説明する概念図である。
【図１１】本発明の実施形態に係わる電極パターンを示す平面図である。
【図１２】本発明の実施形態に係わる電極パターンを示す平面図である。
【図１３】本発明の実施形態に係わる一対の絶縁性基板から２つの液晶表示装置を製造する場合における一方の絶縁性基板の電極パターンを示す平面図である。
【図１４】本発明の実施形態に係わる表示領域中央部におけるスペーサの電場による配置方法を説明する概念図である。
【図１５】本発明の実施形態に係わる表示領域の端部近傍におけるスペーサの電場による配置方法を説明する概念図である。
【図１６】本発明の実施形態に係わる表示領域全体としての電場によるスペーサの移動を説明する概念図である。
【図１７】本発明の実施形態に係わる一対の絶縁性基板から２つの液晶表示装置を製造する場合における一方の絶縁性基板の電極パターンを示す平面図である。
【図１８】本発明の実施形態に係わる表示領域中央部におけるスペーサの電場による配置方法を説明する概念図である。
【図１９】本発明の実施形態に係わる表示領域の端部近傍におけるスペーサの電場による配置方法を説明する概念図である。
【図２０】本発明の実施形態に係わる表示領域全体としての電場によるスペーサの移動を説明する概念図である。
【図２１】本発明の実施形態に係わる表示領域中央部におけるスペーサの電場による配置方法を説明する概念図である。
【図２２】本発明の実施形態に係わる表示領域の端部近傍におけるスペーサの電場による配置方法を説明する概念図である。
【図２３】本発明の実施形態に係わる表示領域全体としての電場によるスペーサの移動を説明する概念図である。
【図２４】本発明の実施形態に係わる表示領域中央部におけるスペーサの電場による配置方法を説明する概念図である。
【図２５】本発明の実施形態に係わる表示領域の端部近傍におけるスペーサの電場による配置方法を説明する概念図である。
【図２６】本発明の実施形態に係わる表示領域全体としての電場によるスペーサの移動を説明する概念図である。
【図２７】本発明の実施形態に係わる電極パターンを示す平面図である。
【図２８】本発明の実施形態に係わる一対の絶縁性基板から２つの液晶表示装置を製造する場合における一方の絶縁性基板の電極パターンを示す平面図である。
【図２９】本発明の実施形態に係わる表示領域中央部におけるスペーサの電場による配置方法を説明する概念図である。
【図３０】本発明の実施形態に係わる表示領域の端部近傍におけるスペーサの電場による配置方法を説明する概念図である。
【図３１】本発明の実施形態に係わる表示領域全体としての電場によるスペーサの移動を説明する概念図である。
【図３２】本発明の実施形態に係わる電極パターンを示す平面図である。
【図３３】本発明の実施形態に係わる表示領域中央部におけるスペーサの電場による配置方法を説明する概念図である。
【図３４】本発明の実施形態に係わる表示領域の端部近傍におけるスペーサの電場による配置方法を説明する概念図である。
【図３５】本発明の実施形態に係わる表示領域全体としての電場によるスペーサの移動を説明する概念図である。
【図３６】本発明の実施形態に係わる表示領域中央部におけるスペーサの電場による配置方法を説明する概念図である。
【図３７】本発明の実施形態に係わる表示領域の端部近傍におけるスペーサの電場による配置方法を説明する概念図である。
【図３８】本発明の実施形態に係わる表示領域全体としての電場によるスペーサの移動を説明する概念図である。
【図３９】本発明における電圧の高低を説明する概念図である。
【図４０】従来の表示領域全体としての電場によるスペーサの移動によって生じる不具合を説明する概念図である。
【図４１】従来の表示領域全体としての電場によるスペーサの移動によって生じる不具合を説明する概念図である。
【図４２】本発明の液晶表示装置の製造方法の一実施形態において用いられるくし形電極の概略図である。
【図４３】本発明の液晶表示装置の製造方法を説明するための概念図である。
【図４４】本発明の液晶表示装置の製造方法の一実施形態において用いられるダミー電極が設けられた基板の概略図である。
【図４５】本発明の液晶表示装置の製造方法の一実施形態において用いられるダミー電極が設けられた基板の概略図である。
【図４６】本発明の液晶表示装置の製造方法の一実施形態における第一の基板とステージと導電枠との関係を示す図であり、上部図は、上からみた平面図であり、下部図は、断面図である。
【図４７】本発明の液晶表示装置の製造方法の一実施形態における第一の基板とステージと導電枠との関係を示す図であり、上部図は、上からみた平面図であり、下部図は、断面図である。
【図４８】本発明の液晶表示装置の製造方法の一実施形態における第一の基板へのスペーサの散布状況を示す側面概念図である。
【図４９】本発明の液晶表示装置の製造方法の一実施形態において、導電枠からダミー電極へ電圧を印加する方法として、導電枠の基板と対向する平板面から針状端子（プローブ）をダミー電極に差し出し、これにより印加する例を示す断面概念図であり、針状端子（プローブ）を、導電枠とダミー電極とを接続する接続面に設ける例である。
【図５０】本発明の液晶表示装置の製造方法の一実施形態において、導電枠からダミー電極へ電圧を印加する方法として、導電枠の基板と対向する平板面から針状端子（プローブ）をダミー電極に差し出し、これにより印加する例を示す断面概念図であり、導電枠の側面とダミー電極の側面とを接続する一定の長さを有する針状端子（プローブ）を用いる例である。
【図５１】本発明の液晶表示装置の製造方法の一実施形態における第一の基板へのスペーサの散布状況を示す側面概念図である。
【図５２】ステージがアースされていない場合における基板上の等電位面を説明するための断面概念図である。
【図５３】本発明の液晶表示装置の製造方法における基板上の等電位面を説明するための断面概念図である。
【図５４】本発明の液晶表示装置の製造方法における基板上の等電位面を説明するための断面概念図である。
【図５５】本発明の液晶表示装置の製造方法における基板と導電枠との関係を説明するための平面及び断面概念図である。
【図５６】本発明の液晶表示装置の製造方法における絶縁体上に導電性ステージ部分と導電枠部分とを区画して形成した場合を説明するための断面概念図である。
【図５７】本発明の液晶表示装置の製造方法における基板端部を拡大して導電性ステージと導電枠との関係を説明するための断面概念図である。
【図５８】本発明の液晶表示装置の製造方法における基板端部を拡大して導電性ステージと導電枠との関係を説明するための断面概念図である。
【図５９】本発明の液晶表示装置の製造方法におけるブラックマトリックスの額縁状態を説明するための平面及び断面概念図である。
【図６０】本発明の液晶表示装置の製造方法における基板端部を拡大して導電性ステージと導電枠との関係を説明するための断面概念図である。
【図６１】従来の液晶表示装置の製造方法における基板とステージとの関係を説明するための断面概念図である。
【図６２】本発明の液晶表示装置の製造方法における基板とステージとの関係を説明するための断面概念図である。
【図６３】本発明の液晶表示装置の製造方法における基板上の等電位面を説明するための断面概念図である。
【図６４】本発明の微粒子散布装置の一例を示す断面概念図である。
【図６５】図６４において基板の供給及び搬出を説明するための断面概念図である。
【図６６】図６４の要部を拡大した断面概念図である。
【図６７】本発明の微粒子散布装置における基板と導電枠との関係を示す平面概念図である。
【図６８】本発明の微粒子散布装置における導電枠と透明電極とに電圧を印加したときの等電位となる線を示す説明図である。
【図６９】本発明の実施形態に係わる絶縁性基板上の電極を示す平面図である。
【図７０】本発明に係わる液晶表示装置を示す断面図である。
【図７１】本発明の液晶表示装置の製造方法を説明するための概念図である。
【図７２】本発明の液晶表示装置の製造方法の実施例におけるダミー電極への電圧の印加方法を説明するための断面概念図である。
【図７３】本発明の液晶表示装置の製造方法の一実施形態において用いられるスペーサ散布装置の断面概念図である。
【図７４】本発明の液晶表示装置の製造方法の一実施形態において用いられるスペーサ散布装置の断面概念図である。
【図７５】従来の液晶表示装置の断面概念図である。
【図７６】従来のスペーサの配置性を説明するための模式図である。
【図７７】従来のスペーサの配置性を説明するための模式図である。
【符号の説明】
【０３５２】
１  絶縁性基板（ガラス基板）
２  偏光板
３、３ａ、３ｂ  表示電極（線状透明電極、画素電極）
４  カラーフィルタ層
５  導電性ブラックマトリックス
６  オーバーコート層
７  液晶
８  スペーサ
９  配向膜
１０  容器（散布装置本体）
１０ａ  蓋
１１ａ  ノズル
１１ｂ  微粒子タンク
１２  電圧印加装置（直流電源）
１３  スペーサ計量用（供給用）フィーダー
１４  絶縁体
１５  導電性ステージ（ステージ、電極）
１６  分断ライン
１７  配管（スペーサ吹き出し管）
１８、１８ａ、１８ｂ  導線
１９  導電部
１９ａ  導通線（Ａ）
１９ｂ  導通線（Ｂ）
２０、２０ａ、２０ｂ  補助電極
２１  ダミー電極
２２  表示電極領域
２３  絶縁膜
２４  シール材
２５  シール内スペーサ
２６  ブラックマトリックス額縁
２７  透明導電膜
２８  ダミー電極領域
２９、２９ａ、２９ｂ  付設電極
３０  表示領域
３１  駆動機構
３２  ロボット装置
３２ａ  アーム
３２ｂ  吸着カップ
３３  散布範囲
３４  導電枠（フィールド、斥力フィールド）
３４ａ  開口部
３４ｂ  押上軸
３５  プローブ（針状端子）
３６  押上げピン
３７  等電位を示す線（等電位面）
【図１】
2004334232.tif 000002
【図２】
2004334232.tif 000003
【図３】
2004334232.tif 000004
【図４】
2004334232.tif 000005
【図５】
2004334232.tif 000006
【図６】
2004334232.tif 000007
【図７】
2004334232.tif 000008
【図８】
2004334232.tif 000009
【図９】
2004334232.tif 000010
【図１０】
2004334232.tif 000011
【図１１】
2004334232.tif 000012
【図１２】
2004334232.tif 000013
【図１３】
2004334232.tif 000014
【図１４】
2004334232.tif 000015
【図１５】
2004334232.tif 000016
【図１６】
2004334232.tif 000017
【図１７】
2004334232.tif 000018
【図１８】
2004334232.tif 000019
【図１９】
2004334232.tif 000020
【図２０】
2004334232.tif 000021
【図２１】
2004334232.tif 000022
【図２２】
2004334232.tif 000023
【図２３】
2004334232.tif 000024
【図２４】
2004334232.tif 000025
【図２５】
2004334232.tif 000026
【図２６】
2004334232.tif 000027
【図２７】
2004334232.tif 000028
【図２８】
2004334232.tif 000029
【図２９】
2004334232.tif 000030
【図３０】
2004334232.tif 000031
【図３１】
2004334232.tif 000032
【図３２】
2004334232.tif 000033
【図３３】
2004334232.tif 000034
【図３４】
2004334232.tif 000035
【図３５】
2004334232.tif 000036
【図３６】
2004334232.tif 000037
【図３７】
2004334232.tif 000038
【図３８】
2004334232.tif 000039
【図３９】
2004334232.tif 000040
【図４０】
2004334232.tif 000041
【図４１】
2004334232.tif 000042
【図４２】
2004334232.tif 000043
【図４３】
2004334232.tif 000044
【図４４】
2004334232.tif 000045
【図４５】
2004334232.tif 000046
【図４６】
2004334232.tif 000047
【図４７】
2004334232.tif 000048
【図４８】
2004334232.tif 000049
【図４９】
2004334232.tif 000050
【図５０】
2004334232.tif 000051
【図５１】
2004334232.tif 000052
【図５２】
2004334232.tif 000053
【図５３】
2004334232.tif 000054
【図５４】
2004334232.tif 000055
【図５５】
2004334232.tif 000056
【図５６】
2004334232.tif 000057
【図５７】
2004334232.tif 000058
【図５８】
2004334232.tif 000059
【図５９】
2004334232.tif 000060
【図６０】
2004334232.tif 000061
【図６１】
2004334232.tif 000062
【図６２】
2004334232.tif 000063
【図６３】
2004334232.tif 000064
【図６４】
2004334232.tif 000065
【図６５】
2004334232.tif 000066
【図６６】
2004334232.tif 000067
【図６７】
2004334232.tif 000068
【図６８】
2004334232.tif 000069
【図６９】
2004334232.tif 000070
【図７０】
2004334232.tif 000071
【図７１】
2004334232.tif 000072
【図７２】
2004334232.tif 000073
【図７３】
2004334232.tif 000074
【図７４】
2004334232.tif 000075
【図７５】
2004334232.tif 000076
【図７６】
2004334232.tif 000077
【図７７】
2004334232.tif 000078